(57)【要約】  本開示は、システム情報伝送方法、ユーザ端末、ネットワーク側機器、システムおよび記憶媒体を提供する。当該方法において、ＵＥが、ネットワーク側機器から送信されるシステム情報であって、前記ネットワーク側機器の一部システム情報である前記システム情報を受信することと、前記ＵＥから、前記ＵＥに必要なシステム情報を要求することに用いられる要求メッセージを前記ネットワーク側機器に送信することと、前記ＵＥが、前記ネットワーク側機器の前記一部システム情報を除いた別部分のシステム情報であるオンデマンドのシステム情報のうち、前記ＵＥに必要なシステム情報を前記ネットワーク側から受信することとを含む。【選択図】  図２
2019521622.tif 000002
【特許請求の範囲】
【請求項１】
ユーザ端末が、ネットワーク側機器から送信されるシステム情報であって、前記ネットワーク側機器の一部システム情報である前記システム情報を受信することと、
前記ユーザ端末から、前記ユーザ端末に必要なシステム情報を要求することに用いられる要求メッセージを前記ネットワーク側機器に送信することと、
前記ユーザ端末が、前記ネットワーク側機器の前記一部システム情報を除いた別部分のシステム情報であるオンデマンドのシステム情報のうち、前記ユーザ端末に必要なシステム情報をネットワーク側から受信することとを含むシステム情報伝送方法。
【請求項２】
前記ユーザ端末に必要なシステム情報は、前記ユーザ端末が取得する情報指示リストに指示される一部または全てのシステム情報であり、
前記情報指示リストは、前記オンデマンドのシステム情報の指示リストである請求項１に記載の方法。
【請求項３】
前記ユーザ端末が、ネットワーク側機器から送信されるシステム情報を受信することは、
前記ユーザ端末が、システム情報を含むシステムメッセージをネットワーク側機器から受信することを含み、
前記システムメッセージには、前記情報指示リストをさらに含む請求項２に記載の方法。
【請求項４】
前記ユーザ端末が、ネットワーク側機器から送信されるシステム情報を受信することは、
前記ユーザ端末が、システム情報を含むシステムメッセージをネットワーク側機器から受信することを含み、
前記システムメッセージには、前記オンデマンドのシステム情報が前記ネットワーク側機器に存在するかの指示情報をさらに含む請求項２に記載の方法。
【請求項５】
前記指示情報によって、前記オンデマンドのシステム情報が前記ネットワーク側機器に存在すると指示するのであれば、前記ユーザ端末が、前記情報指示リストの取得要求メッセージを前記ネットワーク側機器に送信することと、
前記ユーザ端末が、前記ネットワーク側機器から送信される前記情報指示リストを受信することをさらに含む請求項４に記載の方法。
【請求項６】
前記指示情報によって、前記オンデマンドのシステム情報が前記ネットワーク側機器に存在すると指示するのであれば、前記システムメッセージに含まれるシステム情報以外のシステム情報を、オンデマンドのシステム情報として特定することをさらに含み、
ここで、前記情報指示リストは、特定した前記オンデマンドのシステム情報の指示リストである請求項４に記載の方法。
【請求項７】
前記ユーザ端末が、ネットワーク側機器から送信されるシステム情報を受信することは、
ユーザ端末が、システム情報を含むシステムメッセージをネットワーク側機器から受信することを含み、
前記システムメッセージには、前記オンデマンドのシステム情報が前記ネットワーク側機器に存在するかの指示情報をさらに含み、
前記方法において、前記指示情報によって、前記オンデマンドのシステム情報が前記ネットワーク側機器に存在すると指示するのであれば、前記システムメッセージに含まれるシステム情報以外のシステム情報を、オンデマンドのシステム情報として特定することをさらに含み、
ここで、前記ユーザ端末に必要なシステム情報は、特定した前記オンデマンドのシステム情報の一部または全てのシステム情報である請求項１に記載の方法。
【請求項８】
前記ユーザ端末が、前記オンデマンドのシステム情報のうち前記ユーザ端末に必要なシステム情報を前記ネットワーク側から受信することは、
前記ユーザ端末が、前記オンデマンドのシステム情報のうち、前記ユーザ端末に必要なシステム情報の全てを含み、前記ネットワーク側から送信される応答メッセージを受信すること、または、
前記ユーザ端末が、前記オンデマンドのシステム情報のうち、前記ユーザ端末に必要なシステム情報の一部、および、別部分の必要なシステム情報の提供不可能を指示する指示情報を含み、前記ネットワーク側から送信される応答メッセージを受信すること、または、
前記ユーザ端末が、前記オンデマンドのシステム情報のうち、前記ユーザ端末に必要なシステム情報の全て、および、前記オンデマンドのシステム情報のうち、他のユーザ端末に必要なシステム情報の全てを含み、前記ネットワーク側からマルチキャストで送信される応答メッセージを受信すること、または、
前記ユーザ端末が、前記オンデマンドのシステム情報のうち前記ユーザ端末に必要なシステム情報、前記オンデマンドのシステム情報のうち他のユーザ端末に必要なシステム情報、および、前記要求メッセージおよび／または前記他のユーザ端末に要求される一部システム情報の提供不可能を指示する指示情報を含み、前記ネットワーク側からマルチキャストで送信される応答メッセージを受信すること、または、
前記ユーザ端末が、前記オンデマンドのシステム情報のうち前記ユーザ端末に必要なシステム情報の全て、および、他のユーザ端末に必要なシステム情報の提供不可能を指示する失敗指示情報を含み、前記ネットワーク側からマルチキャストで送信される応答メッセージを受信することを含む請求項１〜７のいずれか一項に記載の方法。
【請求項９】
前記ユーザ端末が、前記オンデマンドのシステム情報のうち前記ユーザ端末に必要なシステム情報を前記ネットワーク側から受信することは、
前記ネットワーク側機器の前記オンデマンドのシステム情報には、前記ユーザ端末に必要なシステム情報が存在する場合、前記ユーザ端末が、前記オンデマンドのシステム情報のうち前記ユーザ端末に必要なシステム情報を前記ネットワーク側から受信することを含み、
前記方法において、前記ネットワーク側機器の前記オンデマンドのシステム情報には、前記ユーザ端末に必要なシステム情報が存在しない場合、前記ユーザ端末が、前記ネットワーク側機器から送信されるシステム情報取得失敗メッセージを受信することをさらに含む請求項１〜７のいずれか一項に記載の方法。
【請求項１０】
前記ユーザ端末が、前記オンデマンドのシステム情報のうち前記ユーザ端末に必要なシステム情報を前記ネットワーク側から受信することは、
前記ユーザ端末が、前記オンデマンドのシステム情報のうち前記ユーザ端末に必要なシステム情報およびシステム情報変更タグ（ｓｙｓｔｅｍＩｎｆｏＶａｌｕｅＴａｇ）を含み、前記ネットワーク側から送信される応答メッセージを受信することを含み、
前記方法において、前記ユーザ端末が、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ユーザ端末に必要なシステム情報が有効であると特定し、一致しないのであれば、前記ネットワーク側機器から送信される前記ユーザ端末に必要なシステム情報が無効であると特定することをさらに含む請求項１〜７のいずれか一項に記載の方法。
【請求項１１】
前記ユーザ端末が、ｓｙｓｔｅｍＩｎｆｏＶａｌｕｅＴａｇを取得することをさらに含み、
ここで、前記ｓｙｓｔｅｍＩｎｆｏＶａｌｕｅＴａｇは、前記ユーザ端末が前記ネットワーク側機器から送信される前記ユーザ端末に必要なシステム情報を受信する際に、前記ネットワーク側機器から周期的に放送されるシステム情報のうちｓｙｓｔｅｍＩｎｆｏＶａｌｕｅＴａｇであり、
前記ユーザ端末が、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ユーザ端末に必要なシステム情報が有効であると特定し、一致しないのであれば、前記ネットワーク側機器から送信される前記ユーザ端末に必要なシステム情報が無効であると特定することをさらに含む請求項１〜７のいずれか一項に記載の方法。
【請求項１２】
前記要求メッセージは、ビットマップまたはインデックスによって、前記ユーザ端末に必要なシステム情報を示す請求項１〜７のいずれか一項に記載の方法。
【請求項１３】
前記ユーザ端末から、前記ネットワーク側機器に要求メッセージを送信することは、
前記ユーザ端末が、ランダムアクセス過程で前記ネットワーク側機器に前記要求メッセージを送信することを含み、
前記ユーザ端末が、前記ネットワーク側から送信される前記オンデマンドのシステム情報のうち前記ユーザ端末に必要なシステム情報を受信することは、
前記ユーザ端末が、前記ランダムアクセス過程で、前記ネットワーク側機器から送信される前記オンデマンドのシステム情報のうち前記ユーザ端末に必要なシステム情報を受信することを含む請求項１〜７のいずれか一項に記載の方法。
【請求項１４】
前記ユーザ端末から、前記ネットワーク側機器に要求メッセージを送信することは、
前記ユーザ端末が、前記ユーザ端末に必要なシステム情報に対応するアップリンク信号を前記ネットワーク側機器に送信することを含み、
よって、前記ネットワーク側機器が、前記アップリンク信号によって、前記ユーザ端末に必要なシステム情報を特定する請求項１〜７のいずれか一項に記載の方法。
【請求項１５】
前記ユーザ端末が、前記ネットワーク側機器から送信されるアップリンク信号とシステム情報とのマッピング関係情報を受信することをさらに含む請求項１４に記載の方法。
【請求項１６】
前記ユーザ端末から、前記ネットワーク側機器に要求メッセージを送信することは、
前記ユーザ端末が、無線リソース制御メッセージまたは媒体アクセス制御制御エレメントによって、前記ネットワーク側機器に前記要求メッセージを送信することを含む請求項１〜７のいずれか一項に記載の方法。
【請求項１７】
ネットワーク側機器が、前記ネットワーク側機器の一部システム情報であるシステム情報をユーザ端末に送信することと、
前記ネットワーク側機器が、前記ユーザ端末に必要なシステム情報を要求することに用いられる要求メッセージを前記ユーザ端末から受信することと、
前記ネットワーク側機器が、前記ネットワーク側機器の前記一部システム情報を除いた別部分のシステム情報であるオンデマンドのシステム情報のうち、前記ユーザ端末に必要なシステム情報を前記ユーザ端末に送信することとを含むシステム情報伝送方法。
【請求項１８】
前記ユーザ端末に必要なシステム情報は、前記ユーザ端末が取得する情報指示リストに指示される一部または全てのシステム情報であり、
前記情報指示リストは、前記オンデマンドのシステム情報の指示リストである請求項１７に記載の方法。
【請求項１９】
前記ネットワーク側機器がシステム情報をユーザ端末に送信することは、
前記ネットワーク側機器が、システム情報を含むシステムメッセージをユーザ端末に送信することを含み、
前記システムメッセージには、前記情報指示リストをさらに含む請求項１８に記載の方法。
【請求項２０】
前記ネットワーク側機器がシステム情報をユーザ端末に送信することは、
前記ネットワーク側機器が、システム情報を含むシステムメッセージをユーザ端末に送信することを含み、
前記システムメッセージには、前記オンデマンドのシステム情報が前記ネットワーク側機器に存在するかの指示情報をさらに含む請求項１８に記載の方法。
【請求項２１】
前記指示情報によって、前記オンデマンドのシステム情報が前記ネットワーク側機器に存在すると指示するのであれば、前記ネットワーク側機器が、前記情報指示リストの取得要求メッセージを前記ユーザ端末から受信することと、
前記ネットワーク側機器が、前記情報指示リストを前記ユーザ端末に送信することをさらに含む請求項２０に記載の方法。
【請求項２２】
前記指示情報によって、前記オンデマンドのシステム情報が前記ネットワーク側機器に存在すると指示するのであれば、前記システムメッセージに含まれるシステム情報以外のシステム情報が前記ユーザ端末によってオンデマンドのシステム情報として特定され、
ここで、前記情報指示リストは、特定した前記オンデマンドのシステム情報の指示リストである請求項２０に記載の方法。
【請求項２３】
前記ネットワーク側機器がシステム情報をユーザ端末に送信することは、
前記ネットワーク側機器が、システム情報を含むシステムメッセージをユーザ端末に送信することを含み、
前記システムメッセージには、前記オンデマンドのシステム情報が前記ネットワーク側機器に存在するかの指示情報をさらに含み、
前記指示情報によって、前記オンデマンドのシステム情報が前記ネットワーク側機器に存在すると指示するのであれば、前記システムメッセージに含まれるシステム情報以外のシステム情報が前記ユーザ端末によってオンデマンドのシステム情報として特定され、
ここで、前記ユーザ端末に必要なシステム情報は、特定した前記オンデマンドのシステム情報の一部または全てのシステム情報である請求項１７に記載の方法。
【請求項２４】
前記ネットワーク側機器が、オンデマンドのシステム情報のうち前記ユーザ端末に必要なシステム情報を前記ユーザ端末に送信することは、
前記ネットワーク側機器が、前記オンデマンドのシステム情報のうち、前記ユーザ端末に必要なシステム情報の全てを含む応答メッセージを前記ユーザ端末に送信すること、または、
前記ネットワーク側機器が、前記オンデマンドのシステム情報のうち、前記ユーザ端末に必要なシステム情報の一部、および、別部分の必要なシステム情報の提供不可能を指示する指示情報を含む応答メッセージを前記ユーザ端末に送信すること、または、
前記ネットワーク側機器が、前記オンデマンドのシステム情報のうち、前記ユーザ端末に必要なシステム情報の全て、および、前記オンデマンドのシステム情報のうち、他のユーザ端末に必要なシステム情報の全てを含む応答メッセージをマルチキャスト方式で前記ユーザ端末に送信すること、または、
前記ネットワーク側機器が、前記オンデマンドのシステム情報のうち前記ユーザ端末に必要なシステム情報、前記オンデマンドのシステム情報のうち他のユーザ端末に必要なシステム情報、および、前記要求メッセージおよび／または前記他のユーザ端末に要求される一部システム情報の提供不可能を指示する指示情報を含む応答メッセージをマルチキャスト方式で前記ユーザ端末に送信すること、または、
前記ネットワーク側機器が、前記オンデマンドのシステム情報のうち前記ユーザ端末に必要なシステム情報の全て、および、他のユーザ端末に必要なシステム情報の提供不可能を指示する失敗指示情報を含む応答メッセージをマルチキャスト方式で前記ユーザ端末に送信することを含む請求項１７〜２３のいずれか一項に記載の方法。
【請求項２５】
前記ネットワーク側機器が、オンデマンドのシステム情報のうち前記ユーザ端末に必要なシステム情報を前記ユーザ端末に送信することは、
前記ネットワーク側機器の前記オンデマンドのシステム情報には、前記ユーザ端末に必要なシステム情報が存在する場合、前記ネットワーク側機器が、前記オンデマンドのシステム情報のうち前記ユーザ端末に必要なシステム情報を前記ユーザ端末に送信することを含み、
前記方法において、前記ネットワーク側機器の前記オンデマンドのシステム情報には、前記ユーザ端末に必要なシステム情報が存在しない場合、前記ネットワーク側機器が、システム情報取得失敗メッセージを前記ユーザ端末に送信することをさらに含む請求項１７〜２３のいずれか一項に記載の方法。
【請求項２６】
前記ネットワーク側機器が、オンデマンドのシステム情報のうち前記ユーザ端末に必要なシステム情報を前記ユーザ端末に送信することは、
前記ネットワーク側機器が、前記オンデマンドのシステム情報のうち前記ユーザ端末に必要なシステム情報およびシステム情報変更タグ（ｓｙｓｔｅｍＩｎｆｏＶａｌｕｅＴａｇ）を含む応答メッセージを前記ユーザ端末に送信することを含み、
よって、前記ユーザ端末が、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ユーザ端末に必要なシステム情報が有効であると特定し、一致しないのであれば、前記ネットワーク側機器から送信される前記ユーザ端末に必要なシステム情報が無効であると特定する請求項１７〜２３のいずれか一項に記載の方法。
【請求項２７】
前記ユーザ端末に必要なシステム情報を前記ユーザ端末に送信する際に、前記ネットワーク側機器が、ｓｙｓｔｅｍＩｎｆｏＶａｌｕｅＴａｇを含むシステムメッセージを放送することをさらに含み、
よって、前記ユーザ端末が、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ユーザ端末に必要なシステム情報が有効であると特定し、一致しないのであれば、前記ネットワーク側機器から送信される前記ユーザ端末に必要なシステム情報が無効であると特定する請求項１７〜２３のいずれか一項に記載の方法。
【請求項２８】
前記要求メッセージは、ビットマップまたはインデックスによって、前記ユーザ端末に必要なシステム情報を示す請求項１７〜２３のいずれか一項に記載の方法。
【請求項２９】
前記ネットワーク側機器が、前記ユーザ端末から送信される要求メッセージを受信することは、
前記ネットワーク側機器が、前記ユーザ端末からランダムアクセス過程で送信される前記要求メッセージを受信することを含み、
前記ネットワーク側機器が、オンデマンドのシステム情報のうち前記ユーザ端末に必要なシステム情報を前記ユーザ端末に送信することは、
前記ネットワーク側機器が、前記ランダムアクセス過程で、前記オンデマンドのシステム情報のうち前記ユーザ端末に必要なシステム情報を前記ユーザ端末に送信することを含む請求項１７〜２３のいずれか一項に記載の方法。
【請求項３０】
前記ネットワーク側機器が、前記ユーザ端末から送信される要求メッセージを受信することは、
前記ネットワーク側機器が、前記ユーザ端末に必要なシステム情報に対応するアップリンク信号を前記ユーザ端末から受信することを含み、
前記方法において、前記ネットワーク側機器が、前記アップリンク信号によって、前記ユーザ端末に必要なシステム情報を特定することをさらに含む請求項１７〜２３のいずれか一項に記載の方法。
【請求項３１】
前記ネットワーク側機器が、アップリンク信号とシステム情報とのマッピング関係情報を前記ユーザ端末に送信することをさらに含む請求項３０に記載の方法。
【請求項３２】
前記ネットワーク側機器が、前記ユーザ端末から送信される要求メッセージを受信することは、
前記ネットワーク側機器が、前記ユーザ端末から無線リソース制御メッセージまたは媒体アクセス制御制御エレメントによって送信される前記要求メッセージを受信することを含む請求項１７〜２３のいずれか一項に記載の方法。
【請求項３３】
ネットワーク側機器から送信されるシステム情報であって、前記ネットワーク側機器の一部システム情報である前記システム情報を受信することに用いられる第１受信モジュールと、
ユーザ端末に必要なシステム情報を要求することに用いられる要求メッセージを前記ネットワーク側機器に送信することに用いられる第１送信モジュールと、
前記ネットワーク側機器の前記一部システム情報を除いた別部分のシステム情報であるオンデマンドのシステム情報のうち、前記ユーザ端末に必要なシステム情報をネットワーク側から受信することに用いられる第２受信モジュールとを含むユーザ端末。
【請求項３４】
前記ユーザ端末に必要なシステム情報は、前記ユーザ端末が取得する情報指示リストに指示される一部または全てのシステム情報であり、
前記情報指示リストは、前記オンデマンドのシステム情報の指示リストである請求項３３に記載のユーザ端末。
【請求項３５】
前記第１受信モジュールは、
システム情報を含むシステムメッセージをネットワーク側機器から受信することに用いられ、
前記システムメッセージには、前記情報指示リストをさらに含む請求項３４に記載のユーザ端末。
【請求項３６】
前記第１受信モジュールは、
システム情報を含むシステムメッセージをネットワーク側機器から受信することに用いられ、
前記システムメッセージには、前記オンデマンドのシステム情報が前記ネットワーク側機器に存在するかの指示情報をさらに含む請求項３４に記載のユーザ端末。
【請求項３７】
前記指示情報によって、前記オンデマンドのシステム情報が前記ネットワーク側機器に存在すると指示するのであれば、前記情報指示リストの取得要求メッセージを前記ネットワーク側機器に送信することに用いられる第２送信モジュールと、
前記ネットワーク側機器から送信される前記情報指示リストを受信することに用いられる第３受信モジュールをさらに含む請求項３６に記載のユーザ端末。
【請求項３８】
前記指示情報によって、前記オンデマンドのシステム情報が前記ネットワーク側機器に存在すると指示するのであれば、前記システムメッセージに含まれるシステム情報以外のシステム情報を、オンデマンドのシステム情報として特定することに用いられる第１特定モジュールをさらに含み、
ここで、前記情報指示リストは、特定した前記オンデマンドのシステム情報の指示リストである請求項３６に記載のユーザ端末。
【請求項３９】
前記第１受信モジュールは、
システム情報を含むシステムメッセージをネットワーク側機器から受信することに用いられ、
前記システムメッセージには、前記オンデマンドのシステム情報が前記ネットワーク側機器に存在するかの指示情報をさらに含み、
前記ユーザ端末は、前記指示情報によって、前記オンデマンドのシステム情報が前記ネットワーク側機器に存在すると指示するのであれば、前記システムメッセージに含まれるシステム情報以外のシステム情報を、オンデマンドのシステム情報として特定することに用いられる第２特定モジュールをさらに含み、
ここで、前記ユーザ端末に必要なシステム情報は、特定した前記オンデマンドのシステム情報の一部または全てのシステム情報である請求項３３に記載のユーザ端末。
【請求項４０】
前記第２受信モジュールは、
前記オンデマンドのシステム情報のうち、前記ユーザ端末に必要なシステム情報の全てを含み、前記ネットワーク側から送信される応答メッセージを受信すること、または、
前記オンデマンドのシステム情報のうち、前記ユーザ端末に必要なシステム情報の一部、および、別部分の必要なシステム情報の提供不可能を指示する指示情報を含み、前記ネットワーク側から送信される応答メッセージを受信すること、または、
前記オンデマンドのシステム情報のうち、前記ユーザ端末に必要なシステム情報の全て、および、前記オンデマンドのシステム情報のうち、他のユーザ端末に必要なシステム情報の全てを含み、前記ネットワーク側からマルチキャストで送信される応答メッセージを受信すること、または、
前記オンデマンドのシステム情報のうち前記ユーザ端末に必要なシステム情報、前記オンデマンドのシステム情報のうち他のユーザ端末に必要なシステム情報、および、前記要求メッセージおよび／または前記他のユーザ端末に要求される一部システム情報の提供不可能を指示する指示情報を含み、前記ネットワーク側からマルチキャストで送信される応答メッセージを受信すること、または、
前記オンデマンドのシステム情報のうち前記ユーザ端末に必要なシステム情報の全て、および、他のユーザ端末に必要なシステム情報の提供不可能を指示する失敗指示情報を含み、前記ネットワーク側からマルチキャストで送信される応答メッセージを受信することに用いられる請求項３３〜３９のいずれか一項に記載のユーザ端末。
【請求項４１】
前記第２受信モジュールは、
前記ネットワーク側機器の前記オンデマンドのシステム情報には、前記ユーザ端末に必要なシステム情報が存在する場合、前記オンデマンドのシステム情報のうち前記ユーザ端末に必要なシステム情報を前記ネットワーク側から受信することに用いられ、
前記ユーザ端末は、前記ネットワーク側機器の前記オンデマンドのシステム情報には、前記ユーザ端末に必要なシステム情報が存在しない場合、前記ネットワーク側機器から送信されるシステム情報取得失敗メッセージを受信することに用いられる第４受信モジュールをさらに含む請求項３３〜３９のいずれか一項に記載のユーザ端末。
【請求項４２】
前記第２受信モジュールは、
前記オンデマンドのシステム情報のうち前記ユーザ端末に必要なシステム情報およびシステム情報変更タグ（ｓｙｓｔｅｍＩｎｆｏＶａｌｕｅＴａｇ）を含み、前記ネットワーク側から送信される応答メッセージを受信することに用いられ、
前記ユーザ端末は、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断することに用いられる第１判断モジュールをさらに含み、一致するのであれば、前記ネットワーク側機器から送信される前記ユーザ端末に必要なシステム情報が有効であると特定し、一致しないのであれば、前記ネットワーク側機器から送信される前記ユーザ端末に必要なシステム情報が無効であると特定する請求項３３〜３９のいずれか一項に記載のユーザ端末。
【請求項４３】
ｓｙｓｔｅｍＩｎｆｏＶａｌｕｅＴａｇを取得することに用いられる取得モジュールをさらに含み、
ここで、前記ｓｙｓｔｅｍＩｎｆｏＶａｌｕｅＴａｇは、前記ユーザ端末が前記ネットワーク側機器から送信される前記ユーザ端末に必要なシステム情報を受信する際に、前記ネットワーク側機器から周期的に放送されるシステム情報のうちｓｙｓｔｅｍＩｎｆｏＶａｌｕｅＴａｇであり、
前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断することに用いられる第２判断モジュールをさらに含み、
一致するのであれば、前記ネットワーク側機器から送信される前記ユーザ端末に必要なシステム情報が有効であると特定し、一致しないのであれば、前記ネットワーク側機器から送信される前記ユーザ端末に必要なシステム情報が無効であると特定する請求項３３〜３９のいずれか一項に記載のユーザ端末。
【請求項４４】
前記要求メッセージは、ビットマップまたはインデックスによって、前記ユーザ端末に必要なシステム情報を示す請求項３３〜３９のいずれか一項に記載のユーザ端末。
【請求項４５】
前記第１送信モジュールは、
ランダムアクセス過程で前記ネットワーク側機器に前記要求メッセージを送信することに用いられ、
前記第２受信モジュールは、
前記ランダムアクセス過程で、前記ネットワーク側機器から送信される前記オンデマンドのシステム情報のうち前記ユーザ端末に必要なシステム情報を受信することに用いられる請求項３３〜３９のいずれか一項に記載のユーザ端末。
【請求項４６】
前記第１送信モジュールは、
前記ユーザ端末に必要なシステム情報に対応するアップリンク信号を前記ネットワーク側機器に送信することに用いられ、
よって、前記ネットワーク側機器が、前記アップリンク信号によって、前記ユーザ端末に必要なシステム情報を特定する請求項３３〜３９のいずれか一項に記載のユーザ端末。
【請求項４７】
前記ユーザ端末がアップリンク信号とシステム情報とのマッピング関係情報を前記ネットワーク側機器から受信することに用いられる第５受信モジュールをさらに含む請求項４６に記載のユーザ端末。
【請求項４８】
前記第１送信モジュールは、
無線リソース制御メッセージまたは媒体アクセス制御制御エレメントによって、前記ネットワーク側機器に前記要求メッセージを送信することに用いられる請求項３３〜３９のいずれか一項に記載のユーザ端末。
【請求項４９】
ネットワーク側機器の一部システム情報であるシステム情報をユーザ端末に送信することに用いられる第１送信モジュールと、
前記ユーザ端末に必要なシステム情報を要求することに用いられる要求メッセージを前記ユーザ端末から受信することに用いられる第１受信モジュールと、
前記ネットワーク側機器の前記一部システム情報を除いた別部分のシステム情報であるオンデマンドのシステム情報のうち、前記ユーザ端末に必要なシステム情報を前記ユーザ端末に送信することに用いられる第２送信モジュールとを含むネットワーク側機器。
【請求項５０】
前記ユーザ端末に必要なシステム情報は、前記ユーザ端末が取得する情報指示リストに指示される一部または全てのシステム情報であり、
前記情報指示リストは、前記オンデマンドのシステム情報の指示リストである請求項４９に記載のネットワーク側機器。
【請求項５１】
前記第１送信モジュールは、
システム情報を含むシステムメッセージをユーザ端末に送信することに用いられ、
前記システムメッセージには、前記情報指示リストをさらに含む請求項４９に記載のネットワーク側機器。
【請求項５２】
前記第１送信モジュールは、
システム情報を含むシステムメッセージをユーザ端末に送信することに用いられ、
前記システムメッセージには、前記オンデマンドのシステム情報が前記ネットワーク側機器に存在するかの指示情報をさらに含む請求項４９に記載のネットワーク側機器。
【請求項５３】
前記指示情報によって、前記オンデマンドのシステム情報が前記ネットワーク側機器に存在すると指示するのであれば、前記情報指示リストの取得要求メッセージを前記ユーザ端末から受信することに用いられる第２受信モジュールと、
前記情報指示リストを前記ユーザ端末に送信することに用いられる第３送信モジュールをさらに含む請求項５２に記載のネットワーク側機器。
【請求項５４】
前記指示情報によって、前記オンデマンドのシステム情報が前記ネットワーク側機器に存在すると指示するのであれば、前記システムメッセージに含まれるシステム情報以外のシステム情報が前記ユーザ端末によってオンデマンドのシステム情報として特定され、
ここで、前記情報指示リストは、特定した前記オンデマンドのシステム情報の指示リストである請求項５２に記載のネットワーク側機器。
【請求項５５】
前記第１送信モジュールは、
システム情報を含むシステムメッセージをユーザ端末に送信することに用いられ、
前記システムメッセージには、前記オンデマンドのシステム情報が前記ネットワーク側機器に存在するかの指示情報をさらに含み、
前記指示情報によって、前記オンデマンドのシステム情報が前記ネットワーク側機器に存在すると指示するのであれば、前記システムメッセージに含まれるシステム情報以外のシステム情報が前記ユーザ端末によってオンデマンドのシステム情報として特定され、
ここで、前記ユーザ端末に必要なシステム情報は、特定した前記オンデマンドのシステム情報の一部または全てのシステム情報である請求項４９に記載のネットワーク側機器。
【請求項５６】
前記第２送信モジュールは、
前記オンデマンドのシステム情報のうち、前記ユーザ端末に必要なシステム情報の全てを含む応答メッセージを前記ユーザ端末に送信すること、または、
前記オンデマンドのシステム情報のうち、前記ユーザ端末に必要なシステム情報の一部、および、別部分の必要なシステム情報の提供不可能を指示する指示情報を含む応答メッセージを前記ユーザ端末に送信すること、または、
前記オンデマンドのシステム情報のうち、前記ユーザ端末に必要なシステム情報の全て、および、前記オンデマンドのシステム情報のうち、他のユーザ端末に必要なシステム情報の全てを含む応答メッセージをマルチキャスト方式で前記ユーザ端末に送信すること、または、
前記オンデマンドのシステム情報のうち前記ユーザ端末に必要なシステム情報、前記オンデマンドのシステム情報のうち他のユーザ端末に必要なシステム情報、および、前記要求メッセージおよび／または前記他のユーザ端末に要求される一部システム情報の提供不可能を指示する指示情報を含む応答メッセージをマルチキャスト方式で前記ユーザ端末に送信すること、または、
前記オンデマンドのシステム情報のうち前記ユーザ端末に必要なシステム情報の全て、および、他のユーザ端末に必要なシステム情報の提供不可能を指示する失敗指示情報を含む応答メッセージをマルチキャスト方式で前記ユーザ端末に送信することに用いられる請求項４９〜５５のいずれか一項に記載のネットワーク側機器。
【請求項５７】
前記第２送信モジュールは、
前記ネットワーク側機器の前記オンデマンドのシステム情報には、前記ユーザ端末に必要なシステム情報が存在する場合、前記オンデマンドのシステム情報のうち前記ユーザ端末に必要なシステム情報を前記ユーザ端末に送信することに用いられ、
前記ネットワーク側機器は、前記ネットワーク側機器の前記オンデマンドのシステム情報には、前記ユーザ端末に必要なシステム情報が存在しない場合、システム情報取得失敗メッセージを前記ユーザ端末に送信することに用いられる第４送信モジュールをさらに含む請求項４９〜５５のいずれか一項に記載のネットワーク側機器。
【請求項５８】
前記第２送信モジュールは、
前記オンデマンドのシステム情報のうち前記ユーザ端末に必要なシステム情報およびシステム情報変更タグ（ｓｙｓｔｅｍＩｎｆｏＶａｌｕｅＴａｇ）を含む応答メッセージを前記ユーザ端末に送信することに用いられ、
よって、前記ユーザ端末が、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ユーザ端末に必要なシステム情報が有効であると特定し、一致しないのであれば、前記ネットワーク側機器から送信される前記ユーザ端末に必要なシステム情報が無効であると特定する請求項４９〜５５のいずれか一項に記載のネットワーク側機器。
【請求項５９】
前記ユーザ端末に必要なシステム情報を前記ユーザ端末に送信する際に、ｓｙｓｔｅｍＩｎｆｏＶａｌｕｅＴａｇを含むシステムメッセージを放送することに用いられる放送モジュールをさらに含み、
よって、前記ユーザ端末が、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ユーザ端末に必要なシステム情報が有効であると特定し、一致しないのであれば、前記ネットワーク側機器から送信される前記ユーザ端末に必要なシステム情報が無効であると特定する請求項４９〜５５のいずれか一項に記載のネットワーク側機器。
【請求項６０】
前記要求メッセージは、ビットマップまたはインデックスによって、前記ユーザ端末に必要なシステム情報を示す請求項４９〜５５のいずれか一項に記載のネットワーク側機器。
【請求項６１】
前記第１受信モジュールは、
前記ユーザ端末からランダムアクセス過程で送信される前記要求メッセージを受信することに用いられ、
前記第２送信モジュールは、
前記ランダムアクセス過程で、前記オンデマンドのシステム情報のうち前記ユーザ端末に必要なシステム情報を前記ユーザ端末に送信することに用いられる請求項４９〜５５のいずれか一項に記載のネットワーク側機器。
【請求項６２】
前記第１受信モジュールは、
前記ユーザ端末に必要なシステム情報に対応するアップリンク信号を前記ユーザ端末から受信することに用いられ、
前記ネットワーク側機器は、前記アップリンク信号によって、前記ユーザ端末に必要なシステム情報を特定することに用いられる特定モジュールをさらに含む請求項４９〜５５のいずれか一項に記載のネットワーク側機器。
【請求項６３】
アップリンク信号とシステム情報とのマッピング関係情報を前記ユーザ端末に送信することに用いられる第５送信モジュールをさらに含む請求項６２に記載のネットワーク側機器。
【請求項６４】
前記第１受信モジュールは、
前記ユーザ端末から無線リソース制御メッセージまたは媒体アクセス制御制御エレメントによって送信される前記要求メッセージを受信することに用いられる請求項４９〜５５のいずれか一項に記載のネットワーク側機器。
【請求項６５】
ネットワーク側機器とユーザ端末を含むシステム情報伝送システムにおいて、
ネットワーク側機器は、前記ネットワーク側機器の一部システム情報であるシステム情報をユーザ端末に送信することに用いられ、
前記ユーザ端末は、前記ネットワーク側機器から送信される前記システム情報を受信することに用いられ、
前記ユーザ端末は、さらに、前記ユーザ端末に必要なシステム情報を要求することに用いられる要求メッセージを前記ネットワーク側機器に送信することに用いられ、
前記ネットワーク側機器は、さらに、前記ユーザ端末から送信される前記要求メッセージを受信し、前記ネットワーク側機器の前記一部システム情報を除いた別部分のシステム情報であるオンデマンドのシステム情報のうち、前記ユーザ端末に必要なシステム情報を前記ユーザ端末に送信することに用いられ、
前記ユーザ端末は、さらに、前記オンデマンドのシステム情報のうち前記ユーザ端末に必要なシステム情報を前記ネットワーク側から受信することに用いられるシステム情報伝送システム。
【請求項６６】
プロセッサと、
前記プロセッサに接続し、前記プロセッサによる制御の下でデータを送受信することに用いられるトランシーバを含むユーザ端末において、
前記プロセッサは、
ネットワーク側機器から送信されるシステム情報であって、前記ネットワーク側機器の一部システム情報である前記システム情報を受信することと、
前記ユーザ端末に必要なシステム情報を要求することに用いられる要求メッセージを前記ネットワーク側機器に送信することと、
前記ネットワーク側機器の前記一部システム情報を除いた別部分のシステム情報であるオンデマンドのシステム情報のうち、前記ユーザ端末に必要なシステム情報を前記ネットワーク側から受信することを実行することに用いられるユーザ端末。
【請求項６７】
プロセッサと、
前記プロセッサに接続し、前記プロセッサによる制御の下でデータを送受信することに用いられるトランシーバを含むネットワーク側機器において、
前記プロセッサは、
前記ネットワーク側機器の一部システム情報であるシステム情報をユーザ端末に送信することと、
前記ユーザ端末に必要なシステム情報を要求することに用いられる要求メッセージを前記ユーザ端末から受信することと、
前記ネットワーク側機器の前記一部システム情報を除いた別部分のシステム情報であるオンデマンドのシステム情報のうち、前記ユーザ端末に必要なシステム情報を前記ユーザ端末に送信することを実行することに用いられるネットワーク側機器。
【請求項６８】
プロセッサによって実行されるコンピュータ読取可能なコマンドが格納されている不揮発性のコンピュータ記憶媒体であって、
前記コンピュータ読取可能なコマンドがプロセッサに実行されると、
前記プロセッサは、
ネットワーク側機器から送信されるシステム情報であって、前記ネットワーク側機器の一部システム情報である前記システム情報を受信することと、
前記ユーザ端末に必要なシステム情報を要求することに用いられる要求メッセージを前記ネットワーク側機器に送信することと、
前記ネットワーク側機器の前記一部システム情報を除いた別部分のシステム情報であるオンデマンドのシステム情報のうち、前記ユーザ端末に必要なシステム情報を前記ネットワーク側から受信することを実行する不揮発性のコンピュータ記憶媒体。
【請求項６９】
プロセッサによって実行されるコンピュータ読取可能なコマンドが格納されている不揮発性のコンピュータ記憶媒体であって、
前記コンピュータ読取可能なコマンドがプロセッサに実行されると、
前記プロセッサは、
ネットワーク側機器の一部システム情報であるシステム情報をユーザ端末に送信することと、
前記ユーザ端末に必要なシステム情報を要求することに用いられる要求メッセージを前記ユーザ端末から受信することと、
前記ネットワーク側機器の前記一部システム情報を除いた別部分のシステム情報であるオンデマンドのシステム情報のうち、前記ユーザ端末に必要なシステム情報を前記ユーザ端末に送信することを実行する不揮発性のコンピュータ記憶媒体。
【発明の詳細な説明】
【技術分野】
【０００１】
本願は、２０１６年７月２２日に中国特許庁に提出された中国特許出願２０１６１０５８６０５５．４の優先権を主張し、その全ての内容が援用によりここに取り込まれる。
本開示は、通信技術分野に係り、具体的にシステム情報伝送方法、ユーザ端末、ネットワーク側機器、システムおよび記憶媒体に係る。
【背景技術】
【０００２】
無線通信システムのシステム情報ＳＩ（Ｓｙｓｔｅｍ  Ｉｎｆｏｒｍａｔｉｏｎ）は、主にＭＩＢ（Ｍａｓｔｅｒ  Ｉｎｆｏｒｍａｔｉｏｎ  Ｂｌｏｃｋ）と、複数のＳＩＢ（Ｓｙｓｔｅｍ  Ｉｎｆｏｒｍａｔｉｏｎ  Ｂｌｏｃｋｓ）に分けられ、ＳＩＢにはＳＩＢ１〜ＳＩＢ２０といったシステム情報が含まれる。実際に応用シーンにおいて、システム情報の放送を必要とすることが多い。例えば、ＵＥが新規に１つのセルにアクセスし、または放送メッセージに変化が生じると、システム情報が放送される。現在、毎回の放送において、ＭＩＢ、ＳＩＢ１、ＳＩといったシステム情報を含む全てのシステム情報が放送される。ＳＩにはＳＩＢ２〜ＳＩＢ２０が含まれるが、もちろんそれ以上の拡張が可能である。現在の無線通信システムにおいてシステム情報が周期的に放送され、かつ無線通信システムのサービスの多様化および端末種類の次々の改良によって、システム情報のコンテンツがますます多くなり、システム情報のオーバーヘッドがますます大きくなる。現在の無線通信システムにおいて、システム情報のオーバーヘッドが過大である問題が存在すると見られる。
【発明の概要】
【発明が解決しようとする課題】
【０００３】
本開示は、無線通信システムにおいてシステム情報のオーバーヘッドが過大である問題を解決するために、システム情報伝送方法、ユーザ端末、ネットワーク側機器およびシステムを提供することを目的とする。
【課題を解決するための手段】
【０００４】
上記目的を達成するために、本開示の実施例は、システム情報伝送方法を提供する。
当該方法において、
ユーザ端末（ＵＥ）が、ネットワーク側機器から送信されるシステム情報であって、前記ネットワーク側機器の一部システム情報である前記システム情報を受信することと、
前記ＵＥから、前記ＵＥに必要なシステム情報を要求することに用いられる要求メッセージを前記ネットワーク側機器に送信することと、
前記ＵＥが、前記ネットワーク側機器の前記一部システム情報を除いた別部分のシステム情報であるオンデマンドのシステム情報（ｏｎ−ｄｅｍａｎｄ  ＳＩ）のうち、前記ＵＥに必要なシステム情報を前記ネットワーク側から受信することとを含む。
【０００５】
選択可能に、前記ＵＥに必要なシステム情報は、前記ＵＥが取得する情報指示リストに指示される一部または全てのシステム情報であり、
前記情報指示リストは、前記オンデマンドのシステム情報の指示リストである。
【０００６】
選択可能に、前記ＵＥが、ネットワーク側機器から送信されるシステム情報を受信することは、
前記ＵＥが、システム情報を含むシステムメッセージをネットワーク側機器から受信することを含み、
前記システムメッセージには、前記情報指示リストをさらに含む。
【０００７】
選択可能に、前記ＵＥが、ネットワーク側機器から送信されるシステム情報を受信することは、
前記ＵＥが、システム情報を含むシステムメッセージをネットワーク側機器から受信することを含み、
前記システムメッセージには、前記オンデマンドのシステム情報が前記ネットワーク側機器に存在するかの指示情報をさらに含む。
【０００８】
選択可能に、前記方法において、
前記指示情報によって、前記オンデマンドのシステム情報が前記ネットワーク側機器に存在すると指示するのであれば、前記端末が、前記情報指示リストの取得要求メッセージを前記ネットワーク側機器に送信することと、
前記ＵＥが、前記ネットワーク側機器から送信される前記情報指示リストを受信することをさらに含む。
【０００９】
選択可能に、前記方法において、
前記指示情報によって、前記オンデマンドのシステム情報が前記ネットワーク側機器に存在すると指示するのであれば、前記システムメッセージに含まれるシステム情報以外のシステム情報を、オンデマンドのシステム情報として特定することをさらに含み、
ここで、前記情報指示リストは、特定した前記オンデマンドのシステム情報の指示リストである。
【００１０】
選択可能に、前記ＵＥが、ネットワーク側機器から送信されるシステム情報を受信することは、
ＵＥが、システム情報を含むシステムメッセージをネットワーク側機器から受信することを含み、
前記システムメッセージには、前記オンデマンドのシステム情報が前記ネットワーク側機器に存在するかの指示情報をさらに含み、
前記方法において、前記指示情報によって、前記オンデマンドのシステム情報が前記ネットワーク側機器に存在すると指示するのであれば、前記システムメッセージに含まれるシステム情報以外のシステム情報を、オンデマンドのシステム情報として特定することをさらに含み、
ここで、前記ＵＥに必要なシステム情報は、特定した前記オンデマンドのシステム情報の一部または全てのシステム情報である。
【００１１】
選択可能に、前記ＵＥが、前記オンデマンドのシステム情報のうち前記ＵＥに必要なシステム情報を前記ネットワーク側から受信することは、
前記ＵＥが、前記オンデマンドのシステム情報のうち、前記ＵＥに必要なシステム情報の全てを含み、前記ネットワーク側から送信される応答メッセージを受信すること、または、
前記ＵＥが、前記オンデマンドのシステム情報のうち、前記ＵＥに必要なシステム情報の一部、および、別部分の必要なシステム情報の提供不可能を指示する指示情報を含み、前記ネットワーク側から送信される応答メッセージを受信すること、または、
前記ＵＥが、前記オンデマンドのシステム情報のうち、前記ＵＥに必要なシステム情報の全て、および、前記オンデマンドのシステム情報のうち、他のＵＥに必要なシステム情報の全てを含み、前記ネットワーク側からマルチキャストで送信される応答メッセージを受信すること、または、
前記ＵＥが、前記オンデマンドのシステム情報のうち前記ＵＥに必要なシステム情報、前記オンデマンドのシステム情報のうち他のＵＥに必要なシステム情報、および、前記要求メッセージおよび／または前記他のＵＥに要求される一部システム情報の提供不可能を指示する指示情報を含み、前記ネットワーク側からマルチキャストで送信される応答メッセージを受信すること、または、
前記ＵＥが、前記オンデマンドのシステム情報のうち前記ＵＥに必要なシステム情報の全て、および、他のＵＥに必要なシステム情報の提供不可能を指示する失敗指示情報を含み、前記ネットワーク側からマルチキャストで送信される応答メッセージを受信することを含む。
【００１２】
選択可能に、前記ＵＥが、前記オンデマンドのシステム情報のうち前記ＵＥに必要なシステム情報を前記ネットワーク側から受信することは、
前記ネットワーク側機器の前記オンデマンドのシステム情報には、前記ＵＥに必要なシステム情報が存在する場合、前記ＵＥが、前記オンデマンドのシステム情報のうち前記ＵＥに必要なシステム情報を前記ネットワーク側から受信することを含み、
前記方法において、前記ネットワーク側機器の前記オンデマンドのシステム情報には、前記ＵＥに必要なシステム情報が存在しない場合、前記ＵＥが、前記ネットワーク側機器から送信されるシステム情報取得失敗メッセージを受信することをさらに含む。
【００１３】
選択可能に、前記ＵＥが、前記オンデマンドのシステム情報のうち前記ＵＥに必要なシステム情報を前記ネットワーク側から受信することは、
前記ＵＥが、前記オンデマンドのシステム情報のうち前記ＵＥに必要なシステム情報およびシステム情報変更タグ（ｓｙｓｔｅｍＩｎｆｏＶａｌｕｅＴａｇ）を含み、前記ネットワーク側から送信される応答メッセージを受信することを含み、
前記方法において、前記ＵＥが、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ＵＥに必要なシステム情報が有効であると特定し、一致しないのであれば、前記ネットワーク側機器から送信される前記ＵＥに必要なシステム情報が無効であると特定することをさらに含む。
【００１４】
選択可能に、前記方法において、前記ＵＥが、ｓｙｓｔｅｍＩｎｆｏＶａｌｕｅＴａｇを取得することをさらに含み、
ここで、前記ｓｙｓｔｅｍＩｎｆｏＶａｌｕｅＴａｇは、前記ＵＥが前記ネットワーク側機器から送信される前記ＵＥに必要なシステム情報を受信する際に、前記ネットワーク側機器から周期的に放送されるシステム情報のうちｓｙｓｔｅｍＩｎｆｏＶａｌｕｅＴａｇであり、
前記方法において、前記ＵＥが、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ＵＥに必要なシステム情報が有効であると特定し、一致しないのであれば、前記ネットワーク側機器から送信される前記ＵＥに必要なシステム情報が無効であると特定することをさらに含む。
【００１５】
選択可能に、前記要求メッセージは、ビットマップ（ｂｉｔｍａｐ）またはインデックスによって、前記ＵＥに必要なシステム情報を示す。
【００１６】
選択可能に、前記ＵＥから、前記ネットワーク側機器に要求メッセージを送信することは、
前記ＵＥが、ランダムアクセス過程で前記ネットワーク側機器に前記要求メッセージを送信することを含み、
前記ＵＥが、前記ネットワーク側から送信される前記オンデマンドのシステム情報のうち前記ＵＥに必要なシステム情報を受信することは、
前記ＵＥが、前記ランダムアクセス過程で、前記ネットワーク側機器から送信される前記オンデマンドのシステム情報のうち前記ＵＥに必要なシステム情報を受信することを含む。
【００１７】
選択可能に、前記ＵＥから、前記ネットワーク側機器に要求メッセージを送信することは、
前記ＵＥが、前記ＵＥに必要なシステム情報に対応するアップリンク信号を前記ネットワーク側機器に送信することを含み、
よって、前記ネットワーク側機器が、前記アップリンク信号によって、前記ＵＥに必要なシステム情報を特定する。
【００１８】
選択可能に、前記方法において、前記ＵＥが、前記ネットワーク側機器から送信されるアップリンク信号とシステム情報とのマッピング関係情報を受信することをさらに含む。
【００１９】
選択可能に、前記ＵＥから、前記ネットワーク側機器に要求メッセージを送信することは、
前記ＵＥが、無線リソース制御ＲＲＣ（Ｒａｄｉｏ  Ｒｅｓｏｕｒｃｅ  Ｃｏｎｔｒｏｌ）メッセージまたは媒体アクセス制御ＭＡＣ（Ｍｅｄｉｕｍ  Ａｃｃｅｓｓ  Ｃｏｎｔｒｏｌ）制御エレメントＣＥ（Ｃｏｎｔｒｏｌ  Ｅｌｅｍｅｎｔ）によって、前記ネットワーク側機器に前記要求メッセージを送信することを含む。
【００２０】
本開示の実施例は、さらにシステム情報伝送方法を提供する。
当該方法において、
ネットワーク側機器が、前記ネットワーク側機器の一部システム情報であるシステム情報をＵＥに送信することと、
前記ネットワーク側機器が、前記ＵＥに必要なシステム情報を要求することに用いられる要求メッセージを前記ＵＥから受信することと、
前記ネットワーク側機器が、前記ネットワーク側機器の前記一部システム情報を除いた別部分のシステム情報であるオンデマンドのシステム情報のうち、前記ＵＥに必要なシステム情報を前記ＵＥに送信することとを含む。
【００２１】
選択可能に、前記ＵＥに必要なシステム情報は、前記ＵＥが取得する情報指示リストに指示される一部または全てのシステム情報であり、
前記情報指示リストは、前記オンデマンドのシステム情報の指示リストである。
【００２２】
選択可能に、前記ネットワーク側機器がシステム情報をＵＥに送信することは、
前記ネットワーク側機器が、システム情報を含むシステムメッセージをＵＥに送信することを含み、
前記システムメッセージには、前記情報指示リストをさらに含む。
【００２３】
選択可能に、前記ネットワーク側機器がシステム情報をＵＥに送信することは、
前記ネットワーク側機器が、システム情報を含むシステムメッセージをＵＥに送信することを含み、
前記システムメッセージには、前記オンデマンドのシステム情報が前記ネットワーク側機器に存在するかの指示情報をさらに含む。
【００２４】
選択可能に、前記方法において、
前記指示情報によって、前記オンデマンドのシステム情報が前記ネットワーク側機器に存在すると指示するのであれば、前記ネットワーク側機器が、前記情報指示リストの取得要求メッセージを前記ＵＥから受信することと、
前記ネットワーク側機器が、前記情報指示リストを前記ＵＥに送信することをさらに含む。
【００２５】
選択可能に、前記指示情報によって、前記オンデマンドのシステム情報が前記ネットワーク側機器に存在すると指示するのであれば、前記システムメッセージに含まれるシステム情報以外のシステム情報が前記ＵＥによってオンデマンドのシステム情報として特定され、
ここで、前記情報指示リストは、特定した前記オンデマンドのシステム情報の指示リストである。
【００２６】
選択可能に、前記ネットワーク側機器がシステム情報をＵＥに送信することは、
前記ネットワーク側機器が、システム情報を含むシステムメッセージをＵＥに送信することを含み、
前記システムメッセージには、前記オンデマンドのシステム情報が前記ネットワーク側機器に存在するかの指示情報をさらに含み、
前記指示情報によって、前記オンデマンドのシステム情報が前記ネットワーク側機器に存在すると指示するのであれば、前記システムメッセージに含まれるシステム情報以外のシステム情報が前記ＵＥによってオンデマンドのシステム情報として特定され、
ここで、前記ＵＥに必要なシステム情報は、特定した前記オンデマンドのシステム情報の一部または全てのシステム情報である。
【００２７】
選択可能に、前記ネットワーク側機器が、前記オンデマンドのシステム情報のうち前記ＵＥに必要なシステム情報を前記ＵＥに送信することは、
前記ネットワーク側機器が、前記オンデマンドのシステム情報のうち、前記ＵＥに必要なシステム情報の全てを含む応答メッセージを前記ＵＥに送信すること、または、
前記ネットワーク側機器が、前記オンデマンドのシステム情報のうち、前記ＵＥに必要なシステム情報の一部、および、別部分の必要なシステム情報の提供不可能を指示する指示情報を含む応答メッセージを前記ＵＥに送信すること、または、
前記ネットワーク側機器が、前記オンデマンドのシステム情報のうち、前記ＵＥに必要なシステム情報の全て、および、前記オンデマンドのシステム情報のうち、他のＵＥに必要なシステム情報の全てを含む応答メッセージをマルチキャスト方式で前記ＵＥに送信すること、または、
前記ネットワーク側機器が、前記オンデマンドのシステム情報のうち前記ＵＥに必要なシステム情報、前記オンデマンドのシステム情報のうち他のＵＥに必要なシステム情報、および、前記要求メッセージおよび／または前記他のＵＥに要求される一部システム情報の提供不可能を指示する指示情報を含む応答メッセージをマルチキャスト方式で前記ＵＥに送信すること、または、
前記ネットワーク側機器が、前記オンデマンドのシステム情報のうち前記ＵＥに必要なシステム情報の全て、および、他のＵＥに必要なシステム情報の提供不可能を指示する失敗指示情報を含む応答メッセージをマルチキャスト方式で前記ＵＥに送信することを含む。
【００２８】
選択可能に、前記ネットワーク側機器が、前記オンデマンドのシステム情報のうち前記ＵＥに必要なシステム情報を前記ＵＥに送信することは、
前記ネットワーク側機器の前記オンデマンドのシステム情報には、前記ＵＥに必要なシステム情報が存在する場合、前記ネットワーク側機器が、前記オンデマンドのシステム情報のうち前記ＵＥに必要なシステム情報を前記ＵＥに送信することを含み、
前記方法において、前記ネットワーク側機器の前記オンデマンドのシステム情報には、前記ＵＥに必要なシステム情報が存在しない場合、前記ネットワーク側機器が、システム情報取得失敗メッセージを前記ＵＥに送信することをさらに含む。
【００２９】
選択可能に、前記ネットワーク側機器が、前記オンデマンドのシステム情報のうち前記ＵＥに必要なシステム情報を前記ＵＥに送信することは、
前記ネットワーク側機器が、前記オンデマンドのシステム情報のうち前記ＵＥに必要なシステム情報およびｓｙｓｔｅｍＩｎｆｏＶａｌｕｅＴａｇを含む応答メッセージを前記ＵＥに送信することを含み、
よって、前記ＵＥが、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ＵＥに必要なシステム情報が有効であると特定し、一致しないのであれば、前記ネットワーク側機器から送信される前記ＵＥに必要なシステム情報が無効であると特定する。
【００３０】
選択可能に、前記方法において、前記ＵＥに必要なシステム情報を前記ＵＥに送信する際に、前記ネットワーク側機器が、ｓｙｓｔｅｍＩｎｆｏＶａｌｕｅＴａｇを含むシステム情報を放送することをさらに含み、
よって、前記ＵＥが、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ＵＥに必要なシステム情報が有効であると特定し、一致しないのであれば、前記ネットワーク側機器から送信される前記ＵＥに必要なシステム情報が無効であると特定する。
【００３１】
選択可能に、前記要求メッセージは、ｂｉｔｍａｐまたはインデックスによって、前記ＵＥに必要なシステム情報を示す。
【００３２】
選択可能に、前記ネットワーク側機器が、前記ＵＥから送信される要求メッセージを受信することは、
前記ネットワーク側機器が、前記ＵＥからランダムアクセス過程で送信される前記要求メッセージを受信することを含み、
前記ネットワーク側機器が、前記オンデマンドのシステム情報のうち前記ＵＥに必要なシステム情報を前記ＵＥに送信することは、
前記ネットワーク側機器が、前記ランダムアクセス過程で、前記オンデマンドのシステム情報のうち前記ＵＥに必要なシステム情報を前記ＵＥに送信することを含む。
【００３３】
選択可能に、前記ネットワーク側機器が、前記ＵＥから送信される要求メッセージを受信することは、
前記ネットワーク側機器が、前記ＵＥに必要なシステム情報に対応するアップリンク信号を前記ＵＥから受信することを含み、
前記方法において、前記ネットワーク側機器が、前記アップリンク信号によって、前記ＵＥに必要なシステム情報を特定することをさらに含む。
【００３４】
選択可能に、前記方法において、前記ネットワーク側機器が、アップリンク信号とシステム情報とのマッピング関係情報を前記ＵＥに送信することをさらに含む。
【００３５】
選択可能に、前記ネットワーク側機器が、前記ＵＥから送信される要求メッセージを受信することは、
前記ネットワーク側機器が、前記ＵＥからＲＲＣメッセージまたはＭＡＣ  ＣＥによって送信される前記要求メッセージを受信することを含む。
【００３６】
本開示の実施例は、さらにＵＥを提供する。
当該ＵＥにおいて、
ネットワーク側機器から送信されるシステム情報であって、前記ネットワーク側機器の一部システム情報である前記システム情報を受信することに用いられる第１受信モジュールと、
前記ＵＥに必要なシステム情報を要求することに用いられる要求メッセージを前記ネットワーク側機器に送信することに用いられる第１送信モジュールと、
前記ネットワーク側機器の前記一部システム情報を除いた別部分のシステム情報であるオンデマンドのシステム情報のうち、前記ＵＥに必要なシステム情報を前記ネットワーク側から受信することに用いられる第２受信モジュールとを含む。
【００３７】
選択可能に、前記ＵＥに必要なシステム情報は、前記ＵＥが取得する情報指示リストに指示される一部または全てのシステム情報であり、
前記情報指示リストは、前記オンデマンドのシステム情報の指示リストである。
【００３８】
選択可能に、前記第１受信モジュールは、
システム情報を含むシステムメッセージをネットワーク側機器から受信することに用いられ、
前記システムメッセージには、前記情報指示リストをさらに含む。
【００３９】
選択可能に、前記第１受信モジュールは、
システム情報を含むシステムメッセージをネットワーク側機器から受信することに用いられ、
前記システムメッセージには、前記オンデマンドのシステム情報が前記ネットワーク側機器に存在するかの指示情報をさらに含む。
【００４０】
選択可能に、前記ＵＥは、
前記指示情報によって、前記オンデマンドのシステム情報が前記ネットワーク側機器に存在すると指示するのであれば、前記情報指示リストの取得要求メッセージを前記ネットワーク側機器に送信することに用いられる第２送信モジュールと、
前記ネットワーク側機器から送信される前記情報指示リストを受信することに用いられる第３受信モジュールをさらに含む。
【００４１】
選択可能に、前記ＵＥは、
前記指示情報によって、前記オンデマンドのシステム情報が前記ネットワーク側機器に存在すると指示するのであれば、前記システムメッセージに含まれるシステム情報以外のシステム情報を、オンデマンドのシステム情報として特定することに用いられる第１特定モジュールをさらに含み、
ここで、前記情報指示リストは、特定した前記オンデマンドのシステム情報の指示リストである。
【００４２】
選択可能に、前記第１受信モジュールは、
システム情報を含むシステムメッセージをネットワーク側機器から受信することに用いられ、
前記システムメッセージには、前記オンデマンドのシステム情報が前記ネットワーク側機器に存在するかの指示情報をさらに含み、
前記ＵＥは、前記指示情報によって、前記オンデマンドのシステム情報が前記ネットワーク側機器に存在すると指示するのであれば、前記システムメッセージに含まれるシステム情報以外のシステム情報を、オンデマンドのシステム情報として特定することに用いられる第２特定モジュールをさらに含み、
ここで、前記ＵＥに必要なシステム情報は、特定した前記オンデマンドのシステム情報の一部または全てのシステム情報である。
【００４３】
選択可能に、前記第２受信モジュールは、
前記オンデマンドのシステム情報のうち、前記ＵＥに必要なシステム情報の全てを含み、前記ネットワーク側から送信される応答メッセージを受信すること、または、
前記オンデマンドのシステム情報のうち、前記ＵＥに必要なシステム情報の一部、および、別部分の必要なシステム情報の提供不可能を指示する指示情報を含み、前記ネットワーク側から送信される応答メッセージを受信すること、または、
前記オンデマンドのシステム情報のうち、前記ＵＥに必要なシステム情報の全て、および、前記オンデマンドのシステム情報のうち、他のＵＥに必要なシステム情報の全てを含み、前記ネットワーク側からマルチキャストで送信される応答メッセージを受信すること、または、
前記オンデマンドのシステム情報のうち前記ＵＥに必要なシステム情報、前記オンデマンドのシステム情報のうち他のＵＥに必要なシステム情報、および、前記要求メッセージおよび／または前記他のＵＥに要求される一部システム情報の提供不可能を指示する指示情報を含み、前記ネットワーク側からマルチキャストで送信される応答メッセージを受信すること、または、
前記オンデマンドのシステム情報のうち前記ＵＥに必要なシステム情報の全て、および、他のＵＥに必要なシステム情報の提供不可能を指示する失敗指示情報を含み、前記ネットワーク側からマルチキャストで送信される応答メッセージを受信することに用いられる。
【００４４】
選択可能に、前記第２受信モジュールは、前記ネットワーク側機器の前記オンデマンドのシステム情報には、前記ＵＥに必要なシステム情報が存在する場合、前記オンデマンドのシステム情報のうち前記ＵＥに必要なシステム情報を前記ネットワーク側から受信することに用いられ、
前記ＵＥは、前記ネットワーク側機器の前記オンデマンドのシステム情報には、前記ＵＥに必要なシステム情報が存在しない場合、前記ネットワーク側機器から送信されるシステム情報取得失敗メッセージを受信することに用いられる第４受信モジュールをさらに含む。
【００４５】
選択可能に、前記第２受信モジュールは、
前記オンデマンドのシステム情報のうち前記ＵＥに必要なシステム情報およびｓｙｓｔｅｍＩｎｆｏＶａｌｕｅＴａｇを含み、前記ネットワーク側から送信される応答メッセージを受信することに用いられ、
前記ＵＥは、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断することに用いられる第１判断モジュールをさらに含み、一致するのであれば、前記ネットワーク側機器から送信される前記ＵＥに必要なシステム情報が有効であると特定し、一致しないのであれば、前記ネットワーク側機器から送信される前記ＵＥに必要なシステム情報が無効であると特定する。
【００４６】
選択可能に、前記ＵＥは、ｓｙｓｔｅｍＩｎｆｏＶａｌｕｅＴａｇを取得することに用いられる取得モジュールをさらに含み、
ここで、前記ｓｙｓｔｅｍＩｎｆｏＶａｌｕｅＴａｇは、前記ＵＥが前記ネットワーク側機器から送信される前記ＵＥに必要なシステム情報を受信する際に、前記ネットワーク側機器から周期的に放送されるシステム情報のうちｓｙｓｔｅｍＩｎｆｏＶａｌｕｅＴａｇであり、
前記ＵＥは、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断することに用いられる第２判断モジュールをさらに含み、
一致するのであれば、前記ネットワーク側機器から送信される前記ＵＥに必要なシステム情報が有効であると特定し、一致しないのであれば、前記ネットワーク側機器から送信される前記ＵＥに必要なシステム情報が無効であると特定する。
【００４７】
選択可能に、前記ネットワーク側機器は、
前記ＵＥに必要なシステム情報を前記ＵＥに送信する際に、ｓｙｓｔｅｍＩｎｆｏＶａｌｕｅＴａｇを含むシステム情報を放送することに用いられる放送モジュールをさらに含み、
よって、前記ＵＥは、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ＵＥに必要なシステム情報が有効であると特定し、一致しないのであれば、前記ネットワーク側機器から送信される前記ＵＥに必要なシステム情報が無効であると特定する。
【００４８】
選択可能に、前記要求メッセージは、ｂｉｔｍａｐまたはインデックスによって、前記ＵＥに必要なシステム情報を示す。
【００４９】
選択可能に、前記第１送信モジュールは、
ランダムアクセス過程で前記ネットワーク側機器に前記要求メッセージを送信することに用いられ、
前記第２受信モジュールは、
前記ランダムアクセス過程で、前記ネットワーク側機器から送信される前記オンデマンドのシステム情報のうち前記ＵＥに必要なシステム情報を受信することに用いられる。
【００５０】
選択可能に、前記第１送信モジュールは、
前記ＵＥに必要なシステム情報に対応するアップリンク信号を前記ネットワーク側機器に送信することに用いられ、
よって、前記ネットワーク側機器が、前記アップリンク信号によって、前記ＵＥに必要なシステム情報を特定する。
【００５１】
選択可能に、前記ＵＥは、前記ＵＥがアップリンク信号とシステム情報とのマッピング関係情報を前記ネットワーク側機器から受信することに用いられる第５受信モジュールをさらに含む。
【００５２】
選択可能に、前記第１送信モジュールは、
ＲＲＣメッセージまたは媒体アクセス制御制御エレメントによって、前記ネットワーク側機器に前記要求メッセージを送信することに用いられる。
【００５３】
本開示の実施例は、さらにネットワーク側機器を提供する。
当該ネットワーク側機器において、
前記ネットワーク側機器の一部システム情報であるシステム情報をＵＥに送信することに用いられる第１送信モジュールと、
前記ＵＥに必要なシステム情報を要求することに用いられる要求メッセージを前記ＵＥから受信することに用いられる第１受信モジュールと、
前記ネットワーク側機器の前記一部システム情報を除いた別部分のシステム情報であるオンデマンドのシステム情報のうち、前記ＵＥに必要なシステム情報を前記ＵＥに送信することに用いられる第２送信モジュールとを含む。
【００５４】
選択可能に、前記ＵＥに必要なシステム情報は、前記ＵＥが取得する情報指示リストに指示される一部または全てのシステム情報であり、
前記情報指示リストは、前記オンデマンドのシステム情報の指示リストである。
【００５５】
選択可能に、前記第１送信モジュールは、
システム情報を含むシステムメッセージをＵＥに送信することに用いられる。前記システムメッセージには、前記情報指示リストをさらに含む。
【００５６】
選択可能に、前記第１送信モジュールは、
システム情報を含むシステムメッセージをＵＥに送信することに用いられ、
前記システムメッセージには、前記オンデマンドのシステム情報が前記ネットワーク側機器に存在するかの指示情報をさらに含む。
【００５７】
選択可能に、前記ネットワーク側機器は、
前記指示情報によって、前記オンデマンドのシステム情報が前記ネットワーク側機器に存在すると指示するのであれば、前記情報指示リストの取得要求メッセージを前記ＵＥから受信することに用いられる第２受信モジュールと、
前記情報指示リストを前記ＵＥに送信することに用いられる第３送信モジュールをさらに含む。
【００５８】
選択可能に、前記指示情報によって、前記オンデマンドのシステム情報が前記ネットワーク側機器に存在すると指示するのであれば、前記システムメッセージに含まれるシステム情報以外のシステム情報が前記ＵＥによってオンデマンドのシステム情報として特定され、
ここで、前記情報指示リストは、特定した前記オンデマンドのシステム情報の指示リストである。
【００５９】
選択可能に、前記第１送信モジュールは、
システム情報を含むシステムメッセージをＵＥに送信することに用いられ、
前記システムメッセージには、前記オンデマンドのシステム情報が前記ネットワーク側機器に存在するかの指示情報をさらに含み、
前記指示情報によって、前記オンデマンドのシステム情報が前記ネットワーク側機器に存在すると指示するのであれば、前記システムメッセージに含まれるシステム情報以外のシステム情報が前記ＵＥによってオンデマンドのシステム情報として特定され、
ここで、前記ＵＥに必要なシステム情報は、特定した前記オンデマンドのシステム情報の一部または全てのシステム情報である。
【００６０】
選択可能に、前記第２送信モジュールは、
前記オンデマンドのシステム情報のうち、前記ＵＥに必要なシステム情報の全てを含む応答メッセージを前記ＵＥに送信すること、または、
前記オンデマンドのシステム情報のうち、前記ＵＥに必要なシステム情報の一部、および、別部分の必要なシステム情報の提供不可能を指示する指示情報を含む応答メッセージを前記ＵＥに送信すること、または、
前記オンデマンドのシステム情報のうち、前記ＵＥに必要なシステム情報の全て、および、前記オンデマンドのシステム情報のうち、他のＵＥに必要なシステム情報の全てを含む応答メッセージをマルチキャスト方式で前記ＵＥに送信すること、または、
前記オンデマンドのシステム情報のうち前記ＵＥに必要なシステム情報、前記オンデマンドのシステム情報のうち他のＵＥに必要なシステム情報、および、前記要求メッセージおよび／または前記他のＵＥに要求される一部システム情報の提供不可能を指示する指示情報を含む応答メッセージをマルチキャスト方式で前記ＵＥに送信すること、または、
前記オンデマンドのシステム情報のうち前記ＵＥに必要なシステム情報の全て、および、他のＵＥに必要なシステム情報の提供不可能を指示する失敗指示情報を含む応答メッセージをマルチキャスト方式で前記ＵＥに送信することに用いられる。
【００６１】
選択可能に、前記第２送信モジュールは、
前記ネットワーク側機器の前記オンデマンドのシステム情報には、前記ＵＥに必要なシステム情報が存在する場合、前記オンデマンドのシステム情報のうち前記ＵＥに必要なシステム情報を前記ＵＥに送信することに用いられ、
前記ネットワーク側機器は、前記ネットワーク側機器の前記オンデマンドのシステム情報には、前記ＵＥに必要なシステム情報が存在しない場合、システム情報取得失敗メッセージを前記ＵＥに送信することに用いられる第４送信モジュールをさらに含む。
【００６２】
選択可能に、前記第２送信モジュールは、
前記オンデマンドのシステム情報のうち前記ＵＥに必要なシステム情報およびｓｙｓｔｅｍＩｎｆｏＶａｌｕｅＴａｇを含む応答メッセージを前記ＵＥに送信することに用いられ、
よって、前記ＵＥが、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ＵＥに必要なシステム情報が有効であると特定し、一致しないのであれば、前記ネットワーク側機器から送信される前記ＵＥに必要なシステム情報が無効であると特定する。
【００６３】
選択可能に、前記要求メッセージは、ｂｉｔｍａｐまたはインデックスによって、前記ＵＥに必要なシステム情報を示す。
【００６４】
選択可能に、前記第１受信モジュールは、
前記ＵＥからランダムアクセス過程で送信される前記要求メッセージを受信することに用いられ、
前記第２送信モジュールは、
前記ランダムアクセス過程で、前記オンデマンドのシステム情報のうち前記ＵＥに必要なシステム情報を前記ＵＥに送信することに用いられる。
【００６５】
選択可能に、前記第１受信モジュールは、
前記ＵＥに必要なシステム情報に対応するアップリンク信号を前記ＵＥから受信することに用いられ、
前記ネットワーク側機器は、前記アップリンク信号によって、前記ＵＥに必要なシステム情報を特定することに用いられる特定モジュールをさらに含む。
【００６６】
選択可能に、前記ネットワーク側機器は、アップリンク信号とシステム情報とのマッピング関係情報を前記ＵＥに送信することに用いられる第５送信モジュールをさらに含む。
【００６７】
選択可能に、前記第１受信モジュールは、
前記ＵＥからＲＲＣメッセージまたはＭＡＣ  ＣＥによって送信される前記要求メッセージを受信することに用いられる。
【００６８】
本開示の実施例は、ネットワーク側機器とＵＥを含むシステム情報伝送システムをさらに提供する。
システム情報伝送システムにおいて、
ネットワーク側機器は、システム情報であって、前記ネットワーク側機器の一部システム情報である前記システム情報をＵＥに送信することに用いられ、
前記ＵＥは、前記ネットワーク側機器から送信される前記システム情報を受信することに用いられ、
前記ＵＥは、さらに、前記ＵＥに必要なシステム情報を要求することに用いられる要求メッセージを前記ネットワーク側機器に送信することに用いられ、
前記ネットワーク側機器は、さらに、前記ＵＥから送信される前記要求メッセージを受信し、前記ネットワーク側機器の前記一部システム情報を除いた別部分のシステム情報であるオンデマンドのシステム情報のうち、前記ＵＥに必要なシステム情報を前記ＵＥに送信することに用いられ、
前記ＵＥは、さらに、前記オンデマンドのシステム情報のうち前記ＵＥに必要なシステム情報を前記ネットワーク側から受信することに用いられる。
【００６９】
本開示の実施例は、さらに、プロセッサと、前記プロセッサに接続し、前記プロセッサによる制御の下でデータを送受信することに用いられるトランシーバを含むＵＥを提供する。
ユーザ端末において、
前記プロセッサは、
ネットワーク側機器から送信されるシステム情報であって、前記ネットワーク側機器の一部システム情報である前記システム情報を受信することと、
前記ユーザ端末に必要なシステム情報を要求することに用いられる要求メッセージを前記ネットワーク側機器に送信することと、
前記ネットワーク側機器の前記一部システム情報を除いた別部分のシステム情報であるオンデマンドのシステム情報のうち、前記ユーザ端末に必要なシステム情報を前記ネットワーク側から受信することを実行することに用いられる。
【００７０】
本開示の実施例は、さらに、プロセッサと、前記プロセッサに接続し、前記プロセッサによる制御の下でデータを送受信することに用いられるトランシーバを含むネットワーク側機器を提供する。
ネットワーク側機器において、
前記プロセッサは、
前記ネットワーク側機器の一部システム情報である前記システム情報をユーザ端末に送信することと、
前記ユーザ端末に必要なシステム情報を要求することに用いられる要求メッセージを前記ユーザ端末から受信することと、
前記ネットワーク側機器の前記一部システム情報を除いた別部分のシステム情報であるオンデマンドのシステム情報のうち、前記ユーザ端末に必要なシステム情報を前記ユーザ端末に送信することを実行することに用いられる。
【００７１】
本開示の実施例は、さらに、プロセッサによって実行されるコンピュータ読取可能なコマンドが格納されている不揮発性のコンピュータ記憶媒体を提供する。
不揮発性のコンピュータ記憶媒体にいて、前記コンピュータ読取可能なコマンドがプロセッサに実行されると、
前記プロセッサは、
ネットワーク側機器から送信されるシステム情報であって、前記ネットワーク側機器の一部システム情報である前記システム情報を受信することと、
前記ユーザ端末に必要なシステム情報を要求することに用いられる要求メッセージを前記ネットワーク側機器に送信することと、
前記ネットワーク側機器の前記一部システム情報を除いた別部分のシステム情報であるオンデマンドのシステム情報のうち、前記ユーザ端末に必要なシステム情報を前記ネットワーク側から受信することを実行する。
【００７２】
本開示の実施例は、さらに、プロセッサによって実行されるコンピュータ読取可能なコマンドが格納されている不揮発性のコンピュータ記憶媒体を提供する。
不揮発性のコンピュータ記憶媒体において、前記コンピュータ読取可能なコマンドがプロセッサに実行されると、
前記プロセッサは、システム情報であって、前記ネットワーク側機器の一部システム情報である前記システム情報をユーザ端末に送信することと、
前記ユーザ端末に必要なシステム情報を要求することに用いられる要求メッセージを前記ユーザ端末から受信することと、
前記ネットワーク側機器の前記一部システム情報を除いた別部分のシステム情報であるオンデマンドのシステム情報のうち、前記ユーザ端末に必要なシステム情報を前記ユーザ端末に送信することを実行する。
【発明の効果】
【００７３】
本開示の実施例において、ＵＥは、ネットワーク側機器から送信されるシステム情報であって、前記ネットワーク側機器の一部システム情報である前記システム情報を受信し、前記ＵＥに必要なシステム情報を要求することに用いられる要求メッセージを前記ネットワーク側機器に送信し、前記ネットワーク側機器の前記一部システム情報を除いた別部分のシステム情報であるオンデマンドのシステム情報のうち、前記ＵＥに必要なシステム情報を前記ネットワーク側から受信する。このように、本開示の実施例において、システム情報のオンデマンド送信が実現され、従来技術に比較し、全てのシステム情報が周期的に放送され、システム情報のオーバーヘッドを減少させることができる。
【図面の簡単な説明】
【００７４】
【図１】本開示の実施例のネットワーク構造図である。
【図２】本開示の実施例のシステム情報伝送方法のフローチャートである。
【図３】本開示の実施例の別のシステム情報伝送方法のフローチャートである。
【図４】本開示の実施例の別のシステム情報伝送方法のフローチャートである。
【図５】本開示の実施例の別のシステム情報伝送方法のフローチャートである。
【図６】本開示の実施例の別のシステム情報伝送方法のフローチャートである。
【図７】本開示の実施例のＵＥの構造図である。
【図８】本開示の実施例の別のＵＥの構造図である。
【図９】本開示の実施例の別のＵＥの構造図である。
【図１０】本開示の実施例の別のＵＥの構造図である。
【図１１】本開示の実施例の別のＵＥの構造図である。
【図１２】本開示の実施例の別のＵＥの構造図である。
【図１３】本開示の実施例の別のＵＥの構造図である。
【図１４】本開示の実施例の別のＵＥの構造図である。
【図１５】本開示の実施例のネットワーク側機器の構造図である。
【図１６】本開示の実施例の別のネットワーク側機器の構造図である。
【図１７】本開示の実施例の別のネットワーク側機器の構造図である。
【図１８】本開示の実施例の別のネットワーク側機器の構造図である。
【図１９】本開示の実施例の別のネットワーク側機器の構造図である。
【図２０】本開示の実施例の別のネットワーク側機器の構造図である。
【図２１】本開示の実施例の別のＵＥの構造図である。
【図２２】本開示の実施例の別のネットワーク側機器の構造図である。
【図２３】本開示の実施例のシステム情報伝送システムの構造図である。
【発明を実施するための形態】
【００７５】
以下、図面および具体的な実施例に関連し、本開示の解決しようとする技術課題、技術手段および利点を、より明確になるように詳細に記載する。
【００７６】
図１を参照する。図１は、本開示の実施例のネットワーク構造図である。図１に示されているように、１つまたは複数のＵＥ１１と、ネットワーク側機器１２が含まれている。ここで、図１では１つのＵＥ１１を例示する。ＵＥ１１は、携帯電話、タブレット型パソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、パーソナルデジタルアシスタントＰＤＡ（ｐｅｒｓｏｎａｌ  ｄｉｇｉｔａｌ  ａｓｓｉｓｔａｎｔ）、モバイルインターネットデバイスＭＩＤ（Ｍｏｂｉｌｅ  Ｉｎｔｅｒｎｅｔ  Ｄｅｖｉｃｅ）またはウェアラブルデバイス（Ｗｅａｒａｂｌｅ  Ｄｅｖｉｃｅ）などの端末側機器である。なお、本開示の実施例において、ＵＥ１１の具体的な種類が限定されない。ＵＥ１１は、ネットワーク側機器１２と通信を確立することができる。ここで、図面でのネットワークは、ＵＥ１１とネットワーク側機器１２との無線通信の確立を示す。ネットワーク側機器１２は、ｅＮＢ（ｅｖｏｌｖｅｄ  Ｎｏｄｅ  Ｂ）または他の基地局であり、またはアクセスポイント機器などのネットワーク側機器である。なお、本開示の実施例において、ネットワーク側機器１２の具体的な種類が限定されない。
【００７７】
図１に示すネットワーク構造に基づき、本開示の実施例のシステム情報伝送方法は、図２に示すように、
ＵＥが、ネットワーク側機器から送信されるシステム情報であって、前記ネットワーク側機器の一部システム情報である前記システム情報を受信するステップ２０１と、
前記ＵＥから、前記ＵＥに必要なシステム情報を要求することに用いられる要求メッセージを前記ネットワーク側機器に送信するステップ２０２と、
前記ＵＥが、前記ネットワーク側機器の前記一部システム情報を除いた別部分のシステム情報であるオンデマンドのシステム情報のうち、前記ＵＥに必要なシステム情報を前記ネットワーク側から受信するステップ２０３とを含む。
【００７８】
ステップ２０１において、ＵＥは、ネットワーク側機器から周期的に放送される上記システム情報、すなわち周期的に放送されるシステム情報（ｐｅｒｉｏｄｉｃ  ｂｒｏａｄｃａｓｔ  ＳＩ）を受信する。もちろん、ステップ２０１において、システム情報は、非周期的送信されてもよく、非放送形式で送信されてもよい。また、ステップ２０１において、ＵＥが受信したシステム情報は、ネットワーク側機器の一部システム情報である。例えば、ステップ２０１でＵＥが受信したシステム情報は、ＵＥがセルに滞在し滞在セルにアクセスすることに用いられるシステム情報であってもよく、例えばＭＩＢ、ＳＩＢ１、ＳＩＢ２のうちの全てまたは一部である。また、ステップ２０１でＵＥが受信したシステム情報は、ＵＥがセルに滞在し滞在セルにアクセスすることに必要なシステム情報などであってもよいが、本開示の実施例ではこれについて限定しない。
【００７９】
ＵＥは、ステップ２０１の実行後に、ステップ２０２を実行し、すなわち、上記要求メッセージをネットワーク側機器に送信して、ＵＥに必要なシステム情報の取得を要求する。もちろん、一部のシーンでは、ステップ２０２がステップ２０１の後に実行されることに限定されない。例えば、ステップ２０１とステップ２０２とは、同時に実行されてもよい。また、上記ＵＥに必要なシステム情報は、ＵＥが自身のニーズに応じて必要なものとして特定したシステム情報であると理解される。例えば、ＳＩＢ３〜ＳＩＢ２０の全てまたは一部である。
【００８０】
なお、本開示の実施例において、システム情報は、ＭＩＢおよびＳＩＢ１〜ＳＩＢ２０に限定されない。例えば、システム情報は、ＳＩＢｎ（ｎ：２０より大きい整数）であってもよい。または、システム情報は、将来の無線通信システムの発展に適応して拡張されるシステム情報であってもよい。
ＳＩＢ１は、セルアクセスおよびセル選択の関連パラメータおよびＳＩメッセージを放送するスケジューリング情報を含み、１つまたは複数のＳＩＢ２〜１３を含んでもよい。
ＳＩＢ２は、セル内の全てのＵＥに共通の無線パラメータ配置および他の無線パラメータの基本配置を含む。
ＳＵＩＢ３は、セル再選択情報を含み、主にサービングセルの再選択パラメータおよび同期セルの再選択パラメータに関する。
ＳＩＢ４は、同期隣接セルリストおよび各隣接セルの再選択パラメータ、同期ホワイト／ブラックリストセルリストを含む。
ＳＩＢ５は、非同期隣接周波数点リストおよび各周波数点の再選択パラメータ、非同期隣接セルリストおよび各隣接セルの再選択パラメータ、非同期ブラックリストセルリストを含む。
ＳＩＢ６は、ＵＴＲＡＦＤＤ（ＵＭＴＳ  Ｔｅｒｒｅｓｔｒｉａｌ  Ｒａｄｉｏ  Ａｃｃｅｓｓ−Ｆｒｅｑｕｅｎｃｙ  Ｄｉｖｉｓｉｏｎ  Ｄｕｐｌｅｘｉｎｇ）の隣接チャネルの周波数点リストおよび各周波数点の再選択パラメータ、ＵＴＲＡ  ＴＤＤの隣接チャネルの周波数点リストおよび各周波数点の再選択パラメータを含む。
ＳＵＩＢ７は、ＧＳＭ（登録商標）とＧＥＲＡＮ（ＧＳＭ  ＥＤＧＥ  Ｒａｄｉｏ  Ａｃｃｅｓｓ  Ｎｅｔｗｏｒｋ）の隣接チャネルの周波数点リストおよび各周波数点の再選択パラメータを含む。
ＳＩＢ８は、ＣＤＭＡ２０００の前登録情報、ＣＤＭＡ２０００の隣接チャネルの周波数帯域リストおよび各周波数帯域の再選択パラメータ、ＣＤＭＡ２０００の隣接チャネルの周波数帯域の隣接セルリストを含む。
ＳＩＢ９は、ホーム基地局（Ｈｏｍｅ  ｅＮｏｄｅＢ）の名称を含む。
ＳＩＢ１０は、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）のプライマリ通知（ｐｒｉｍａｒｙ  ｎｏｔｉｆｉｃａｔｉｏｎ）を含む。
ＳＩＢ１１は、ＥＴＷＳのセカンダリ通知（ｓｅｃｏｎｄａｒｙ  ｎｏｔｉｆｉｃａｔｉｏｎ）を含む。
ＳＩＢ１２は、ＣＭＡＳ（Ｃｏｍｍｅｒｃｉａｌ  Ｍｏｂｉｌｅ  Ａｌｅｒｔ  Ｓｅｒｖｉｃｅ）通知（ＣＭＡＳ  ｎｏｔｉｆｉｃａｔｉｏｎ）を含む。
ＳＩＢ１３は、１つまたは複数のＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）領域に関するＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）制御情報を取得する情報を含む。
ＳＩＢ１４〜ＳＩＢ２０は、それぞれ対応する特性を有するが、枚挙しない。
【００８１】
本開示の実施例において、ネットワーク側機器は、上記要求メッセージを受信すると、上記ＵＥに必要なシステム情報を特定する。すなわち、上記要求メッセージに要求されるシステム情報は、ＳＩＢ３とＳＩＢ４である。ネットワーク側機器は、ＵＥに必要なシステム情報を特定すると、上記オンデマンドのシステム情報のうちＵＥに必要なシステム情報をＵＥに送信する。例えば、上記オンデマンドのシステム情報には、ＳＩＢ３〜ＳＩＢ２０を含み、ネットワーク側機器は、ＳＩＢ３とＳＩＢ４をＵＥに送信する。または、本開示の実施例において、オンデマンドのシステム情報は、ｏｎ−ｄｅｍａｎｄ  ＳＩと理解される。
【００８２】
また、上記オンデマンドのシステム情報のうち前記ＵＥに必要なシステム情報は、上記要求メッセージに要求されるＵＥに必要なシステム情報である。例えば、上記要求メッセージに要求されるＵＥに必要なシステム情報がＳＩＢ３とＳＩＢ４であり、ネットワーク側機器のオンデマンドのシステム情報にＳＩＢ３とＳＩＢ４を含む。または、上記オンデマンドのシステム情報のうち前記ＵＥに必要なシステム情報は、上記要求メッセージに要求されるＵＥに必要なシステム情報の一部である。例えば、上記要求メッセージに要求されるＵＥに必要なシステム情報がＳＩＢ３、ＳＩＢ４、ＳＩＢ２１であり、ネットワーク側機器のオンデマンドのシステム情報がＳＩＢ３〜ＳＩＢ２０である。すると、上記オンデマンドのシステム情報のうち前記ＵＥに必要なシステム情報は、ＳＩＢ３とＳＩＢ４である。すなわち、ネットワーク側機器は、ＵＥに必要なシステム情報の一部のみをＵＥに返している。
【００８３】
また、上記オンデマンドのシステム情報は、ステップ２０１で送信されるシステム情報以外のシステム情報と理解される。当該オンデマンドのシステム情報は、ＵＥのニーズに応じて送信されるものである。このように、ＵＥに必要のないシステム情報をＵＥに送信することを避けることによって、オーバーヘッドの無駄遣いが避けられ、伝送リソース節約の目的が達成される。
【００８４】
選択可能に、前記ＵＥに必要なシステム情報は、前記ＵＥが取得する情報指示リストに指示される一部または全てのシステム情報であり、前記情報指示リストは、前記オンデマンドのシステム情報の指示リストである。
【００８５】
当該実施形態において、上記要求メッセージに要求されるＵＥに必要なシステム情報として、前記ＵＥが取得する情報指示リストに指示される一部または全てのシステム情報であることが実現される。ここで、上記情報指示リストは、上記ＵＥによって予め取得されるものである。または、上記情報指示リストは、ＵＥによるオンデマンドのシステム情報の取得が必要となる場合に、ネットワーク側機器から取得されるものである。または、上記情報指示リストは、ＵＥによって推測して得られるものである。
【００８６】
選択可能に、当該実施形態において、前記ＵＥがネットワーク側機器から送信されるシステム情報を受信することは、前記ＵＥが、システム情報を含むシステムメッセージをネットワーク側機器から受信することを含む。前記システムメッセージには、前記情報指示リストをさらに含む。
【００８７】
上記システムメッセージによって、ＵＥは、上記システム情報と上記情報指示リストを取得することができる。かつ当該情報指示リストがネットワーク側機器から送信されるため、ＵＥは、当該情報指示リストによって、どのオンデマンドのシステム情報がネットワーク側機器に含まれているかを特定することができる。よって、ステップ２０２においてＵＥからネットワーク側機器に要求するシステム情報が全てネットワーク側機器に含まれるものであることが実現され、ＵＥからネットワーク側機器に要求するシステム情報がネットワーク側機器から提供不可能なものであることはない。例えば、ネットワーク側機器から周期的に放送されるシステム情報がＭＩＢ、ＳＩＢ１およびＳＩＢ２であり、オンデマンドのシステム情報がＳＩＢ３〜ＳＩＢ８である。すると、オンデマンドのシステム情報リストは、ＳＩＢ３〜ＳＩＢ８のインデックスリスト（ｉｎｄｅｘ  ｌｉｓｔ）の｛ＳＩＢ３，ＳＩＢ４，…，ＳＩＢ８｝であってもよく、ＳＩＢインデックス（ｉｎｄｅｘ）を指示するビットマップ（ｂｉｔｍａｐ）の｛００１１１１１１００００００００００００｝であってもよい。ここでｂｉｔｍａｐは、ＳＩＢ１〜ＳＩＢｎ（ｎ：正整数、例えばｎ＝２０）がオンデマンドのシステム情報に含まれているかを指示し、含まれる場合に１で示すが、含まれない場合に０で示す。当該実施形態において、上記情報指示リストを明示的に取得することができる。よって、ＵＥは、ネットワーク側のオンデマンドのシステム情報リストを正しく取得し、取得可能なオンデマンドのシステム情報を要求する。
【００８８】
選択可能に、上記実施形態において、前記ＵＥがネットワーク側機器から送信されるシステム情報を受信することは、前記ＵＥが、システム情報を含むシステムメッセージをネットワーク側機器から受信することを含む。前記システムメッセージには、前記オンデマンドのシステム情報が前記ネットワーク側機器に存在するかの指示情報をさらに含む。
【００８９】
当該実施形態において、ネットワーク側機器は、上記システムメッセージによって上記システム情報および上記指示情報をＵＥに伝送する。例えば、ネットワーク側から周期的放送で送信されるシステムメッセージにオンデマンドのシステム情報リストが含まれないと、周期的放送で送信されるシステムメッセージの中の１ビットによって、オンデマンドのシステム情報が含まれているかを指示する。すなわち、当該システム情報領域（同一のシステム情報を有する領域、例えば１つのセル）にオンデマンドのシステム情報が含まれると、１で示すが、そうでなければ、０で示す。ＵＥは、当該指示情報によって、オンデマンドのシステム情報がネットワーク側機器に存在するかを特定することができる。存在する場合、必要なシステム情報をネットワーク側機器に要求するが、存在しない場合、取得しない。また、ネットワーク側機器に上記オンデマンドのシステム情報が存在すると、ＵＥは、上記情報指示リストを明示的または暗示的に取得することができる。
【００９０】
例えば、前記方法において、
前記指示情報によって、前記オンデマンドのシステム情報が前記ネットワーク側機器に存在すると指示するのであれば、前記端末が、前記情報指示リストの取得要求メッセージを前記ネットワーク側機器に送信することと、
前記ＵＥが、前記ネットワーク側機器から送信される前記情報指示リストを受信することをさらに含む。
【００９１】
当該実施形態において、上記情報指示リストを明示的に取得することができる。よって、ＵＥは、ネットワーク側のオンデマンドのシステム情報リストを正しく取得し、取得可能なオンデマンドのシステム情報を要求することができる。上記取得要求メッセージは、周期的放送で送信されるシステム情報の中のアクセス情報（例えばランダムアクセスの情報）である。または、ランダムアクセス過程によって上記取得要求メッセージを送信して、ランダムアクセス過程で上記情報指示リストを取得する。または、上記取得要求メッセージは、ＲＲＣメッセージの中の要求情報（例えばオンデマンドのシステム情報リストの取得を要求することに用いられる情報）またはスケジューリング情報などであり、要求と応答過程によって上記情報指示リストを取得する。
【００９２】
例えば、前記方法において、
前記指示情報によって、前記オンデマンドのシステム情報が前記ネットワーク側機器に存在すると指示するのであれば、前記システムメッセージに含まれるシステム情報以外のシステム情報を、オンデマンドのシステム情報として特定することをさらに含む。
ここで、前記情報指示リストは、特定した前記オンデマンドのシステム情報の指示リストである。
【００９３】
当該実施形態において、上記情報指示リストを暗示的に取得することができ、オンデマンドのシステム情報リストを取得するには別途のシグナリングオーバーヘッドを必要としない。例えば、周期的放送で送信されるシステム情報では、オンデマンドのシステム情報が含まれていることを１によって指示すると、ＵＥは、周期的に放送されるシステム情報以外の他のシステム情報が全てオンデマンドのシステム情報であると推測できる。例えば、周期的に放送されるシステム情報がＭＩＢ、ＳＩＢ１およびＳＩＢ２であるが、オンデマンドのシステム情報は、ＳＩＢ３〜ＳＩＢｎ（ｎ＝２０）である。
【００９４】
上記実施形態において、ＵＥがオンデマンドのシステム情報リストを明示的または暗示的に取得する２種類の方法を紹介した。明示的に取得する方法によって、ＵＥは、ネットワーク側機器のオンデマンドのシステム情報の情報指示リストを正しく取得し、取得可能なオンデマンドのシステム情報を要求することができるが、オンデマンドのシステム情報リストを取得するには別途のシグナリングオーバーヘッドが必要となる。暗示的に取得する方法によって、ＵＥは、ネットワーク側機器のオンデマンドのシステム情報の情報指示リストを推測し、オンデマンドのシステム情報の情報指示リストを取得するには別途のシグナリングオーバーヘッドを必要としないが、要求されるオンデマンドのシステム情報がネットワーク側機器から提供不可能なものである可能性があり、オンデマンドのシステム情報の取得に失敗することがあり、別途のシグナリングオーバーヘッドがかかる。したがって、本開示の実施例において、ネットワーク側機器から提供可能なオンデマンドのシステム情報が比較的少なく、例えばＳＩＢ３〜ＳＩＢ８であれば、明示的に取得する方法によって上記情報指示リストを取得するが、ネットワーク側機器から提供可能なオンデマンドのシステム情報が比較的多く、例えばＳＩＢ３〜ＳＩＢｎ（ｎ＝２０）であれば、暗示的に取得する方法によって上記情報指示リストを取得することによって、システム全体のリソース利用率とシステム性能を向上させる。
【００９５】
選択可能に、前記ＵＥがネットワーク側機器から送信されるシステム情報を受信することは、ＵＥが、システム情報を含むシステムメッセージをネットワーク側機器から受信することを含む。
前記システムメッセージには、前記オンデマンドのシステム情報が前記ネットワーク側機器に存在するかの指示情報をさらに含む。
前記方法において、前記指示情報によって、前記オンデマンドのシステム情報が前記ネットワーク側機器に存在すると指示するのであれば、前記システムメッセージに含まれるシステム情報以外のシステム情報を、オンデマンドのシステム情報として特定することをさらに含む。
ここで、前記ＵＥに必要なシステム情報は、特定した前記オンデマンドのシステム情報の一部または全てのシステム情報である。
【００９６】
当該実施形態において、ネットワーク側機器のオンデマンドのシステム情報を暗示的に特定することができ、オンデマンドのシステム情報リストを取得するには別途シグナリングオーバーヘッドを必要としない。かつステップ２０２で要求されるシステム情報は、ＵＥが特定したオンデマンドのシステム情報のうちの一部または全てである。なお、当該実施形態において、ＵＥが特定したオンデマンドのシステム情報は、ＵＥが推測したネットワーク側機器のオンデマンドのシステム情報と理解される。すなわち、ここで特定したオンデマンドのシステム情報は、ネットワーク側機器のオンデマンドのシステム情報とは同一であってもよく異なってもよい。例えば、周期的放送で送信されるシステム情報では、オンデマンドのシステム情報が含まれていることを１で示すと、ＵＥは、周期的に放送されるシステム情報以外の他のシステム情報が全てオンデマンドのシステム情報であると推測できる。例えば、周期的放送で送信されるシステム情報がＭＩＢ、ＳＩＢ１およびＳＩＢ２であるが、オンデマンドのシステム情報は、ＳＩＢ３〜ＳＩＢｎ（ｎ＝２０）である。
【００９７】
選択可能に、前記ＵＥが前記オンデマンドのシステム情報のうち前記ＵＥに必要なシステム情報を前記ネットワーク側から受信することは、
前記ＵＥが、前記オンデマンドのシステム情報のうち、前記ＵＥに必要なシステム情報の全てを含み、前記ネットワーク側から送信される応答メッセージを受信することを含む。
【００９８】
当該実施形態において、ネットワーク側機器は、ＵＥに必要なシステム情報の全てを上記応答メッセージによってＵＥに送信することができる。例えば、ＵＥに必要なシステム情報は、ＳＩＢ３、ＳＩＢ４およびＳＩＢ１０であり、ネットワーク側機器は、上記応答メッセージによってＳＩＢ３、ＳＩＢ４およびＳＩＢ１０をＵＥに送信する。
【００９９】
選択可能に、前記ＵＥが前記オンデマンドのシステム情報のうち前記ＵＥに必要なシステム情報を前記ネットワーク側から受信することは、
前記ＵＥが、前記オンデマンドのシステム情報のうち、前記ＵＥに必要なシステム情報の一部、および、別部分の必要なシステム情報の提供不可能を指示する指示情報を含み、前記ネットワーク側から送信される応答メッセージを受信することを含む。
【０１００】
当該実施形態において、ネットワーク側機器は、必要なシステム情報の一部を上記応答メッセージによってＵＥに送信し、かつ別部分の必要なシステム情報の提供不可能を指示することができる。例えば、ＵＥに必要なシステム情報がＳＩＢ３、ＳＩＢ４およびＳＩＢ１０であるが、ネットワーク側機器にはシステム情報ＳＩＢ３〜ＳＩＢ８しか有しない場合、ネットワーク側機器からＳＩＢ３、ＳＩＢ４のみの提供が可能であり、ＳＩＢ１０の提供ができない。また例えば、ＵＥが暗示的に取得したオンデマンドのシステム情報の情報指示リストが｛ＳＩＢ３，ＳＩＢ４，…，ＳＩＢ２０｝であるが、ネットワーク側機器からＳＩＢ３〜ＳＩＢ８しか提供できない。すなわち、ＵＥが情報指示リストを明示的に取得するのであれば、当該情報指示リストは、｛ＳＩＢ３，ＳＩＢ４，…，ＳＩＢ８｝または｛００１１１１１１００００００００００００｝であるが、ＵＥが暗示的に取得するため、ＵＥから送信される要求メッセージは、｛ＳＩＢ３，ＳＩＢ４，ＳＩＢ１０｝または｛００１１０００００１００００００００００｝を要求する。このように、ネットワーク側機器は、ＵＥにシステム情報ＳＩＢ３、ＳＩＢ４を提供し、さらにシステム情報ＳＩＢ１０の提供不可能を指示する。
【０１０１】
選択可能に、前記ＵＥが前記オンデマンドのシステム情報のうち前記ＵＥに必要なシステム情報を前記ネットワーク側から受信することは、
前記ＵＥが、前記オンデマンドのシステム情報のうち、前記ＵＥに必要なシステム情報の全て、および、前記オンデマンドのシステム情報のうち、他のＵＥに必要なシステム情報の全てを含み、前記ネットワーク側からマルチキャストで送信される応答メッセージを受信することを含む。
【０１０２】
当該実施形態において、マルチキャスト方式で複数のＵＥにオンデマンドのシステム情報を提供し、伝送リソースを節約することができる。例えば、ＵＥ１に要求されるシステム情報は、｛ＳＩＢ３，ＳＩＢ４｝であり、ＵＥ２に要求されるシステム情報は、｛ＳＩＢ５，ＳＩＢ６｝であり、ＵＥ３に要求されるシステム情報は、｛ＳＩＢ３，ＳＩＢ４，ＳＩＢ５，ＳＩＢ６｝である。ネットワーク側機器は、３つのＵＥから送信されるオンデマンドのシステム情報の要求メッセージに応じ、自身から提供可能なオンデマンドのシステム情報を考慮し、マルチキャスト方式で３つのＵＥにオンデマンドのシステム情報の応答メッセージを送信し、システム情報ＳＩＢ３、ＳＩＢ４、ＳＩＢ５、ＳＩＢ６が含まれる。具体的に、ネットワーク側は、オンデマンドのＳＩ−ＲＮＴＩ（ｓｙｓｔｅｍ  ｉｎｆｏｒｍａｔｉｏｎ−ｒａｄｉｏ  ｎｅｔｗｏｒｋ  ｔｅｍｐｏｒａｒｙ  ｉｄｅｎｔｉｆｉｅｒ）（例えばＯＤ−ＲＮＴＩ）でスクランブリングが行われたＰＤＣＣＨ（Ｐｈｙｓｉｃａｌ  Ｄｏｗｎｌｉｎｋ  Ｃｏｎｔｒｏｌ  Ｃｈａｎｎｅｌ）によって、オンデマンドのシステム情報の応答メッセージをスケジューリングし、３つのＵＥは、オンデマンドのＳＩ−ＲＮＴＩによってアドレッシングを行う。さらに、オンデマンドのＳＩ−ＲＮＴＩは、プロトコルで規定されているＲＮＴＩである。また、マルチキャスト方式でオンデマンドのシステム情報の応答メッセージを送信することに対し、ネットワーク側機器がオンデマンドのシステム情報の送信を繰り返し、ＵＥがＨＡＲＱ（Ｈｙｂｒｉｄ  Ａｕｔｏｍａｔｉｃ  Ｒｅｐｅａｔ  ｒｅＱｕｅｓｔ）の再送合併（ＡＣＫ／ＮＡＣＫフィードバックがない）を行うによってシステム情報の受信性能を向上させる。
【０１０３】
選択可能に、前記ＵＥが前記オンデマンドのシステム情報のうち前記ＵＥに必要なシステム情報を前記ネットワーク側から受信することは、
前記ＵＥが、前記オンデマンドのシステム情報のうち前記ＵＥに必要なシステム情報、前記オンデマンドのシステム情報のうち他のＵＥに必要なシステム情報、および、前記要求メッセージおよび／または前記他のＵＥに要求される一部システム情報の提供不可能を指示する指示情報を含み、前記ネットワーク側からマルチキャストで送信される応答メッセージを受信することを含む。
【０１０４】
当該実施形態において、ネットワーク側機器は、マルチキャスト方式で複数のＵＥにオンデマンドのシステム情報を送信することができる。送信されるシステム情報は、複数のＵＥに要求されるシステム情報のうちの一部であり、別部分のシステム情報は、指示情報によって、指示不可能であることがＵＥに指示される。例えば、ＵＥ１に要求されるシステム情報は、｛ＳＩＢ３，ＳＩＢ４｝であり、ＵＥ２に要求されるシステム情報は、｛ＳＩＢ５，ＳＩＢ１０｝であるが、ネットワーク側機器から提供可能なシステム情報は、｛ＳＩＢ３，…，ＳＩＢ８｝である。ネットワーク側機器は、２つのＵＥから送信されるオンデマンドのシステム情報の要求メッセージに応じて、自身から提供可能なオンデマンドのシステム情報を考慮し、マルチキャスト方式で２つのＵＥにオンデマンドのシステム情報の応答メッセージを送信し、システム情報ＳＩＢ３、ＳＩＢ４、ＳＩＢ５が含まれ、ＳＩＢ１０の提供不可能が指示される。
【０１０５】
選択可能に、前記ＵＥが前記オンデマンドのシステム情報のうち前記ＵＥに必要なシステム情報を前記ネットワーク側から受信することは、
前記ＵＥが、前記オンデマンドのシステム情報のうち前記ＵＥに必要なシステム情報の全て、および、他のＵＥに必要なシステム情報の提供不可能を指示する失敗指示情報を含み、前記ネットワーク側からマルチキャストで送信される応答メッセージを受信することを含む。
【０１０６】
当該実施形態において、マルチキャスト方式で複数のＵＥに応答メッセージを送信し、かつ、あるＵＥから要求されるシステム情報がネットワーク側機器から提供不可能なものであれば、必要なシステム情報の提供不可能を指示する失敗指示情報を応答メッセージに付帯する。例えば、ＵＥ１に要求されるシステム情報は、｛ＳＩＢ３，ＳＩＢ４｝であり、ＵＥ２に要求されるシステム情報は、ＳＩＢ１０であるが、ネットワーク側機器から提供可能なシステム情報は、｛ＳＩＢ３，…，ＳＩＢ８｝である。ネットワーク側機器は、２つのＵＥから送信されるオンデマンドのシステム情報の要求メッセージに応じて、自身から提供可能なオンデマンドのシステム情報を考慮し、マルチキャスト方式で２つのＵＥにオンデマンドのシステム情報の応答メッセージを送信し、システム情報ＳＩＢ３、ＳＩＢ４が含まれ、ＵＥ２の取得失敗が指示される。
【０１０７】
選択可能に、前記ＵＥが前記オンデマンドのシステム情報のうち前記ＵＥに必要なシステム情報を前記ネットワーク側から受信することは、
前記ネットワーク側機器の前記オンデマンドのシステム情報には、前記ＵＥに必要なシステム情報が存在する場合、前記ＵＥが、前記オンデマンドのシステム情報のうち前記ＵＥに必要なシステム情報を前記ネットワーク側から受信することを含む。
前記方法において、前記ネットワーク側機器の前記オンデマンドのシステム情報には、
前記ＵＥに必要なシステム情報が存在しない場合、前記ＵＥが、前記ネットワーク側機器から送信されるシステム情報取得失敗メッセージを受信することをさらに含む。
【０１０８】
当該実施形態において、ネットワーク側機器から提供されるオンデマンドのシステム情報にＵＥに必要なオンデマンドのシステム情報が含まれなければ、ネットワーク側機器は、オンデマンドのシステム情報失敗メッセージをＵＥに送信する。
【０１０９】
選択可能に、前記ＵＥが前記オンデマンドのシステム情報のうち前記ＵＥに必要なシステム情報を前記ネットワーク側から受信することは、
前記ＵＥが、前記オンデマンドのシステム情報のうち前記ＵＥに必要なシステム情報およびｓｙｓｔｅｍＩｎｆｏＶａｌｕｅＴａｇを含み、前記ネットワーク側から送信される応答メッセージを受信することを含む。
前記方法において、前記ＵＥが、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ＵＥに必要なシステム情報が有効であると特定し、一致しないのであれば、前記ネットワーク側機器から送信される前記ＵＥに必要なシステム情報が無効であると特定することをさらに含む。
【０１１０】
当該実施形態において、応答メッセージにｓｙｓｔｅｍＩｎｆｏＶａｌｕｅＴａｇが含まれるため、ＵＥは、当該ｓｙｓｔｅｍＩｎｆｏＶａｌｕｅＴａｇに基づいて、取得するシステム情報が有効であるかを特定することができる。例えば、ｓｙｓｔｅｍＩｎｆｏＶａｌｕｅＴａｇは、周期的に放送されるシステム情報で送信されるほか、オンデマンドのシステム情報の応答メッセージでも送信される。ＵＥがオンデマンドのシステム情報の応答メッセージを受信する際に、応答メッセージに含まれているｓｙｓｔｅｍＩｎｆｏＶａｌｕｅＴａｇと、ＵＥからオンデマンドのシステム情報の要求メッセージを送信する際に、周期的に放送されるシステム情報のｓｙｓｔｅｍＩｎｆｏＶａｌｕｅＴａｇとは、値が異なるのであれば、ＵＥが取得したオンデマンドのシステム情報の無効を意味し、ＵＥは、次回のオンデマンドのシステム情報の送受信過程を行う。
【０１１１】
選択可能に、前記方法において、前記ＵＥが、ｓｙｓｔｅｍＩｎｆｏＶａｌｕｅＴａｇを取得することをさらに含む。ここで、前記ｓｙｓｔｅｍＩｎｆｏＶａｌｕｅＴａｇは、前記ＵＥが前記ネットワーク側機器から送信される前記ＵＥに必要なシステム情報を受信する際に、前記ネットワーク側機器から周期的に放送されるシステム情報のうちｓｙｓｔｅｍＩｎｆｏＶａｌｕｅＴａｇである。
前記方法において、前記ＵＥが、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ＵＥに必要なシステム情報が有効であると特定し、一致しないのであれば、前記ネットワーク側機器から送信される前記ＵＥに必要なシステム情報が無効であると特定することをさらに含む。
【０１１２】
当該実施形態において、オンデマンドのシステム情報の受信時のｓｙｓｔｅｍＩｎｆｏＶａｌｕｅＴａｇに基づいて、受信したオンデマンドのシステム情報が有効であるかを判断し、オンデマンドのシステム情報を受信する際のｓｙｓｔｅｍＩｎｆｏＶａｌｕｅＴａｇと、要求メッセージを送信する際のｓｙｓｔｅｍＩｎｆｏＶａｌｕｅＴａｇとは一致しなければ、無効であると特定するが、逆の場合、有効であると確認する。例えば、ｓｙｓｔｅｍＩｎｆｏＶａｌｕｅＴａｇは、周期的に放送されるシステム情報で送信される。ＵＥがオンデマンドのシステム情報の応答メッセージを受信する際に、周期的に放送されるシステム情報のｓｙｓｔｅｍＩｎｆｏＶａｌｕｅＴａｇと、ＵＥからオンデマンドのシステム情報の要求メッセージを送信する際に、周期的に放送されるシステム情報のｓｙｓｔｅｍＩｎｆｏＶａｌｕｅＴａｇとは、値が異なるのであれば、ＵＥが取得したオンデマンドのシステム情報の無効を意味し、ＵＥは、次回のオンデマンドのシステム情報の送受信過程を行う。
【０１１３】
選択可能に、前記要求メッセージは、ｂｉｔｍａｐによって、前記ＵＥに必要なシステム情報を示す。
【０１１４】
当該実施形態において、ｂｉｔｍａｐによって、ＵＥに必要なシステム情報を示すことができる。例えば、ＵＥに必要なシステム情報が｛ＳＩＢ３，ＳＩＢ４｝であると、上記要求メッセージには、ｂｉｔｍａｐの｛００１１００００００００００００００００｝を含む。ネットワーク側機器は、当該ｂｉｔｍａｐを受信すると、ＵＥに必要なシステム情報が｛ＳＩＢ３，ＳＩＢ４｝であると特定できる。また、当該実施形態において、以上紹介した複数の実施形態に関連してもよい。例えば、上記情報指示リストの実施形態に関連して実現されてもよく、すなわちｂｉｔｍａｐによって、情報指示リストに指示されるシステム情報を示す。以上紹介した情報指示リストのない実施形態に関連して実現されてもよく、ｂｉｔｍａｐによって、特定したオンデマンドのシステム情報を示し、すなわち、ｂｉｔｍａｐによってシステム情報のインデックスを示す。
【０１１５】
選択可能に、前記要求メッセージは、インデックスによって、前記ＵＥに必要なシステム情報を示す。
【０１１６】
当該実施形態において、インデックスによってＵＥに必要なシステム情報を示すことができる。例えば、ＵＥに必要なシステム情報が｛ＳＩＢ３，ＳＩＢ４｝であると、上記要求メッセージには、｛ＳＩＢ３，ＳＩＢ４｝のインデックスを含む。また、当該実施形態において、以上紹介した複数の実施形態に関連してもよい。例えば、上記情報指示リストの実施形態に関連して実現されてもよく、上記インデックスは、当該情報指示リストにおけるシステム情報のリストインデックスである。以上紹介した情報指示リストのない実施形態に関連して実現されてもよく、上記インデックスは、システム情報のインデックスであり、例えば情報機能または情報名のインデックスなどである。
【０１１７】
選択可能に、前記ＵＥから、前記ネットワーク側機器に要求メッセージを送信することは、
前記ＵＥが、ランダムアクセス過程で前記ネットワーク側機器に前記要求メッセージを送信することを含む。
前記ＵＥが、前記ネットワーク側から送信される前記オンデマンドのシステム情報のうち前記ＵＥに必要なシステム情報を受信することは、
前記ＵＥが、前記ランダムアクセス過程で、前記ネットワーク側機器から送信される前記オンデマンドのシステム情報のうち前記ＵＥに必要なシステム情報を受信することを含む。
【０１１８】
当該実施形態において、ＵＥに必要なシステム情報をランダムアクセス過程で取得し、アイドル状態または非活性化ＵＥは、ＵＥに必要なシステム情報をランダムアクセス過程によって取得することができる。例えば、上記要求メッセージは、ランダムアクセス過程のメッセージ３（Ｍｓｇ３）によって送信され、上記ＵＥに必要なシステム情報は、ランダムアクセス過程のメッセージ４（Ｍｓｇ４）によって送信される。
【０１１９】
選択可能に、前記ＵＥから、前記ネットワーク側機器に要求メッセージを送信することは、
前記ＵＥが、前記ＵＥに必要なシステム情報に対応するアップリンク信号を前記ネットワーク側機器に送信することを含む。
よって、前記ネットワーク側機器が、前記アップリンク信号によって、前記ＵＥに必要なシステム情報を特定する。
【０１２０】
当該実施形態において、アップリンク信号によって、ＵＥに必要なシステム情報をネットワーク側機器に要求することができる。当該アップリンク信号は、プリアンブル（Ｐｒｅａｍｂｌｅ）またはシンク（Ｓｙｎｃ）などのアップリンク信号である。ネットワーク側機器は、上記アップリンク信号を受信すると、それに対応するシステム情報を特定することができる。例えば、ネットワーク側機器とＵＥの間で、アップリンク信号とシステム情報とのマッピング関係が予め取り決められる。よって、ＵＥは、当該マッピング関係に基づいてアップリンク信号を送信し、ネットワーク側機器は、当該マッピング関係に基づいて、ＵＥに必要なシステム情報を特定する。
【０１２１】
もちろん、当該実施形態において、上記方法において、
前記ＵＥが、前記ネットワーク側機器から送信されるアップリンク信号とシステム情報とのマッピング関係情報を受信することをさらに含んでもよい。
【０１２２】
例えば、ネットワーク側機器は、放送されるシステム情報によって、上記マッピング関係情報をＵＥに送信する。当該マッピング関係情報は、一対一のマッピング関係を含む。すなわち、１つのアップリンク信号に１つのシステム情報が対応付けられる。例えば、Ｐｒｅａｍｂｌｅ１は、ＳＩＢ３に対応し、Ｐｒｅａｍｂｌｅ２は、ＳＩＢ４に対応する。または、上記マッピング関係情報は、一対多数のマッピング関係を含んでもよく、すなわち１つのアップリンク信号に複数のシステム情報が対応付けられてもよい。例えば、Ｐｒｅａｍｂｌｅ３は、ＳＩＢ３とＳＩＢ４に対応する。
【０１２３】
選択可能に、前記ＵＥから、前記ネットワーク側機器に要求メッセージを送信することは、
前記ＵＥが、ＲＲＣメッセージによって、前記ネットワーク側機器に前記要求メッセージを送信することを含む。
【０１２４】
当該実施形態において、ＲＲＣメッセージによって、ネットワーク側機器にシステム情報を要求することができる。
例えば、当該ＲＲＣメッセージは、ＵＥに必要なシステム情報のｂｉｔｍａｐまたはインデックスを含む。
【０１２５】
選択可能に、前記ＵＥから、前記ネットワーク側機器に要求メッセージを送信することは、
前記ＵＥが、ＭＡＣ  ＣＥによって、前記ネットワーク側機器に前記要求メッセージを送信することを含む。
【０１２６】
当該実施形態において、ＭＡＣ  ＣＥによって、ネットワーク側機器にシステム情報を要求することができる。
例えば、当該ＭＡＣ  ＣＥは、ＵＥに必要なシステム情報のｂｉｔｍａｐまたはインデックスを含む。
【０１２７】
なお、本開示の実施例で紹介した上記複数種類の選択可能な実施形態は、互いに組み合わせて実現されてもよく、単独で実現されてもよいが、本開示の実施例においてこれについて限定しない。
【０１２８】
本開示の実施例において、ＵＥは、ネットワーク側機器から送信されるシステム情報であって、前記ネットワーク側機器の一部システム情報である前記システム情報を受信し、前記ＵＥに必要なシステム情報を要求することに用いられる要求メッセージを前記ネットワーク側機器に送信し、前記ネットワーク側機器の前記一部システム情報を除いた別部分のシステム情報であるオンデマンドのシステム情報のうち、前記ＵＥに必要なシステム情報を前記ネットワーク側から受信する。このように、本開示の実施例において、システム情報のオンデマンド送信が実現され、従来技術に比較し、全てのシステム情報が周期的に放送され、システム情報のオーバーヘッドを減少させることができる。
【０１２９】
図１に示すネットワーク構造に基づき、本開示の実施例の別のシステム情報伝送方法は、図３に示すように、
ネットワーク側機器が、システム情報であって、前記ネットワーク側機器の一部システム情報である前記システム情報をＵＥに送信するステップ３０１と、
前記ネットワーク側機器が、前記ＵＥに必要なシステム情報を要求することに用いられる要求メッセージを前記ＵＥから受信するステップ３０２と、
前記ネットワーク側機器が、前記ネットワーク側機器の前記一部システム情報を除いた別部分のシステム情報であるオンデマンドのシステム情報のうち、前記ＵＥに必要なシステム情報を前記ＵＥに送信するステップ３０３とを含む。
【０１３０】
選択可能に、前記ＵＥに必要なシステム情報は、前記ＵＥが取得する情報指示リストに指示される一部または全てのシステム情報であり、前記情報指示リストは、前記オンデマンドのシステム情報の指示リストである。
【０１３１】
選択可能に、前記ネットワーク側機器がシステム情報をＵＥに送信することは、
前記ネットワーク側機器が、システム情報を含むシステムメッセージをＵＥに送信することを含む。前記システムメッセージには、前記情報指示リストをさらに含む。
【０１３２】
選択可能に、前記ネットワーク側機器がシステム情報をＵＥに送信することは、
前記ネットワーク側機器が、システム情報を含むシステムメッセージをＵＥに送信することを含む。
前記システムメッセージには、前記オンデマンドのシステム情報が前記ネットワーク側機器に存在するかの指示情報をさらに含む。
【０１３３】
選択可能に、前記方法において、
前記指示情報によって、前記オンデマンドのシステム情報が前記ネットワーク側機器に存在すると指示するのであれば、前記ネットワーク側機器が、前記情報指示リストの取得要求メッセージを前記ＵＥから受信することと、
前記ネットワーク側機器が、前記情報指示リストを前記ＵＥに送信することをさらに含む。
【０１３４】
選択可能に、前記指示情報によって、前記オンデマンドのシステム情報が前記ネットワーク側機器に存在すると指示するのであれば、前記システムメッセージに含まれるシステム情報以外のシステム情報が前記ＵＥによってオンデマンドのシステム情報として特定される。
ここで、前記情報指示リストは、特定した前記オンデマンドのシステム情報の指示リストである。
【０１３５】
選択可能に、前記ネットワーク側機器がシステム情報をＵＥに送信することは、前記ネットワーク側機器が、システム情報を含むシステムメッセージをＵＥに送信することを含む。
前記システムメッセージには、前記オンデマンドのシステム情報が前記ネットワーク側機器に存在するかの指示情報をさらに含む。
前記指示情報によって、前記オンデマンドのシステム情報が前記ネットワーク側機器に存在すると指示するのであれば、前記システムメッセージに含まれるシステム情報以外のシステム情報が前記ＵＥによってオンデマンドのシステム情報として特定される。
ここで、前記ＵＥに必要なシステム情報は、特定した前記オンデマンドのシステム情報の一部または全てのシステム情報である。
【０１３６】
選択可能に、前記ネットワーク側機器が、前記オンデマンドのシステム情報のうち前記ＵＥに必要なシステム情報を前記ＵＥに送信することは、
前記ネットワーク側機器が、前記オンデマンドのシステム情報のうち、前記ＵＥに必要なシステム情報の全てを含む応答メッセージを前記ＵＥに送信すること、または、
前記ネットワーク側機器が、前記オンデマンドのシステム情報のうち、前記ＵＥに必要なシステム情報の一部、および、別部分の必要なシステム情報の提供不可能を指示する指示情報を含む応答メッセージを前記ＵＥに送信すること、または、
前記ネットワーク側機器が、前記オンデマンドのシステム情報のうち、前記ＵＥに必要なシステム情報の全て、および、前記オンデマンドのシステム情報のうち、他のＵＥに必要なシステム情報の全てを含む応答メッセージをマルチキャスト方式で前記ＵＥに送信すること、または、
前記ネットワーク側機器が、前記オンデマンドのシステム情報のうち前記ＵＥに必要なシステム情報、前記オンデマンドのシステム情報のうち他のＵＥに必要なシステム情報、および、前記要求メッセージおよび／または前記他のＵＥに要求される一部システム情報の提供不可能を指示する指示情報を含む応答メッセージをマルチキャスト方式で前記ＵＥに送信すること、または、
前記ネットワーク側機器が、前記オンデマンドのシステム情報のうち前記ＵＥに必要なシステム情報の全て、および、他のＵＥに必要なシステム情報の提供不可能を指示する失敗指示情報を含む応答メッセージをマルチキャスト方式で前記ＵＥに送信することを含む。
【０１３７】
選択可能に、前記ネットワーク側機器が、前記オンデマンドのシステム情報のうち前記ＵＥに必要なシステム情報を前記ＵＥに送信することは、
前記ネットワーク側機器の前記オンデマンドのシステム情報には、前記ＵＥに必要なシステム情報が存在する場合、前記ネットワーク側機器が、前記オンデマンドのシステム情報のうち前記ＵＥに必要なシステム情報を前記ＵＥに送信することを含む。
前記方法において、前記ネットワーク側機器の前記オンデマンドのシステム情報には、
前記ＵＥに必要なシステム情報が存在しない場合、前記ネットワーク側機器が、システム情報取得失敗メッセージを前記ＵＥに送信することをさらに含む。
【０１３８】
選択可能に、前記ネットワーク側機器が、前記オンデマンドのシステム情報のうち前記ＵＥに必要なシステム情報を前記ＵＥに送信することは、
前記ネットワーク側機器が、前記オンデマンドのシステム情報のうち前記ＵＥに必要なシステム情報およびｓｙｓｔｅｍＩｎｆｏＶａｌｕｅＴａｇを含む応答メッセージを前記ＵＥに送信することを含む。
よって、前記ＵＥが、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ＵＥに必要なシステム情報が有効であると特定し、一致しないのであれば、前記ネットワーク側機器から送信される前記ＵＥに必要なシステム情報が無効であると特定する。
【０１３９】
選択可能に、前記方法において、前記ＵＥに必要なシステム情報を前記ＵＥに送信する際に、前記ネットワーク側機器が、ｓｙｓｔｅｍＩｎｆｏＶａｌｕｅＴａｇを含むシステム情報を放送することをさらに含む。
よって、前記ＵＥが、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ＵＥに必要なシステム情報が有効であると特定し、一致しないのであれば、前記ネットワーク側機器から送信される前記ＵＥに必要なシステム情報が無効であると特定する。
【０１４０】
選択可能に、前記要求メッセージは、ｂｉｔｍａｐまたはインデックスによって、前記ＵＥに必要なシステム情報を示す。
【０１４１】
選択可能に、前記ネットワーク側機器が、前記ＵＥから送信される要求メッセージを受信することは、
前記ネットワーク側機器が、前記ＵＥからランダムアクセス過程で送信される前記要求メッセージを受信することを含む。
前記ネットワーク側機器が、前記オンデマンドのシステム情報のうち前記ＵＥに必要なシステム情報を前記ＵＥに送信することは、
前記ネットワーク側機器が、前記ランダムアクセス過程で、前記オンデマンドのシステム情報のうち前記ＵＥに必要なシステム情報を前記ＵＥに送信することを含む。
【０１４２】
選択可能に、前記ネットワーク側機器が、前記ＵＥから送信される要求メッセージを受信することは、
前記ネットワーク側機器が、前記ＵＥに必要なシステム情報に対応するアップリンク信号を前記ＵＥから受信することを含む。
前記方法において、前記ネットワーク側機器が、前記アップリンク信号によって、前記ＵＥに必要なシステム情報を特定することをさらに含む。
【０１４３】
選択可能に、前記方法において、前記ネットワーク側機器が、アップリンク信号とシステム情報とのマッピング関係情報を前記ＵＥに送信することをさらに含む。
【０１４４】
選択可能に、前記ネットワーク側機器が、前記ＵＥから送信される要求メッセージを受信することは、
前記ネットワーク側機器が、前記ＵＥからＲＲＣメッセージまたはＭＡＣ  ＣＥによって送信される前記要求メッセージを受信することを含む。
【０１４５】
なお、本実施例は、図２に示す実施例に対応するネットワーク側機器の実施形態であり、その具体的な実施形態について、重複な説明を避けるよう、図２に示す実施例の関連説明を参照してもよく、本実施例では繰り返して記載しない。本実施例において、同様にシステム情報のオーバーヘッドを減少させることができる。
【０１４６】
以下、複数の例を挙げ、上記実施例で紹介した実施形態を例示的に説明する。
【０１４７】
例１：
当該例は、アイドル状態または非活性化ＵＥがランダムアクセス過程によってオンデマンドのシステム情報を送信することを例とし、図４に示すように、下記ステップを含む。
ステップ４０１において、ＵＥは、周期的放送で送信されるシステム情報によってランダムアクセスの情報を取得し、ランダムアクセス過程を引き起こし、メッセージ１（Ｍｓｇ１）を送信する。Ｍｓｇ１にはＰｒｅａｍｂｌｅが含まれる。
ステップ４０２において、ネットワーク側からＵＥにメッセージ２（Ｍｓｇ２）を送信する。Ｍｓｇ２には、ＲＡＲ（Ｒａｎｄｏｍ  Ａｃｃｅｓｓ  Ｒｅｓｐｏｎｓｅ）メッセージを含む。ＲＡＲメッセージには、バックオフ（ｂａｃｋｏｆｆ）パラメータ、Ｍｓｇ１に対応するＰｒｅａｍｂｌｅコード、ＵＬ  ＴＡ、ＵＬグラント、一時的Ｃ−ＲＮＴＩ（ｃｅｌｌ−ｒａｄｉｏ  ｎｅｔｗｏｒｋ  ｔｅｍｐｏｒａｒｙ  ｉｄｅｎｔｉｆｉｅｒ）などのパラメータを含む。ＵＥは、ランダムアクセス応答ウィンドウ内でＭｓｇ２を受信する。
ステップ４０３において、ＵＥは、自身のニーズに応じて、ネットワーク側にＭｓｇ３を送信する。当該Ｍｓｇ３は、オンデマンドのシステム情報の要求メッセージと理解される。
ステップ４０４において、ネットワーク側は、ＵＥから送信されるオンデマンドのシステム情報の要求メッセージに応じ、自身から提供可能なオンデマンドのシステム情報を考慮し、ＵＥにＭｓｇ４を送信する。当該Ｍｓｇ４は、オンデマンドのシステム情報の応答メッセージまたはオンデマンドのシステム情報の失敗メッセージである。具体的に、ネットワーク側は、一時的Ｃ−ＲＮＴＩでスクランブリングが行われたＰＤＣＣＨによってＭｓｇ４をスケジューリングする。
ＵＥは、オンデマンドのシステム情報の応答ウィンドウ内でＭｓｇ４、すなわちオンデマンドのシステム情報の応答メッセージまたはオンデマンドのシステム情報の失敗メッセージを受信する。具体的に、ＵＥは、一時的Ｃ−ＲＮＴＩによってアドレッシングを行う。
【０１４８】
例２：
当該例は、アイドル状態または非活性化ＵＥがアップリンク信号過程によってオンデマンドのシステム情報を送信することを例とし、図５に示すように、下記ステップを含む。
ステップ５０１において、ネットワーク側は、周期的放送で送信されるシステム情報によって、アップリンク信号（例えばＰｒｅａｍｂｌｅ、Ｓｙｎｃなど）とオンデマンドのシステム情報とのマッピングテーブルをＵＥに送信する。例えば、Ｐｒｅａｍｂｌｅ１は、ＳＩＢ３に対応し、Ｐｒｅａｍｂｌｅ２は、ＳＩＢ４に対応し、または、Ｐｒｅａｍｂｌｅ３は、ＳＩＢ３とＳＩＢ４に対応する。
ステップ５０２において、ＵＥは、自身のニーズに応じて、ネットワーク側にＭｓｇ１を送信する。当該Ｍｓｇ１は、オンデマンドのシステム情報の要求メッセージを示すアップリンク信号を含む。例えば、ＵＥに必要なオンデマンドのシステム情報がＳＩＢ３とＳＩＢ４であると、ＵＥは、Ｐｒｅａｍｂｌｅ１、Ｐｒｅａｍｂｌｅ２またはＰｒｅａｍｂｌｅ３をネットワーク側に送信する。
ステップ５０３において、ネットワーク側は、ＵＥから送信されるアップリンク信号に対応するオンデマンドのシステム情報の要求メッセージに応じ、自身から提供可能なオンデマンドのシステム情報を考慮し、ＵＥにＭｓｇ２を送信する。当該Ｍｓｇ２は、オンデマンドのシステム情報の応答メッセージを含み、システム情報ＳＩＢ３とＳＩＢ４が含まれている。具体的に、ネットワーク側は、オンデマンドのＳＩ−ＲＮＴＩでスクランブリングが行われたＰＤＣＣＨによってＭｓｇ２をスケジューリングする。
ＵＥは、オンデマンドのシステム情報の応答ウィンドウ内でＭｓｇ２、すなわちオンデマンドのシステム情報の応答メッセージを受信する。具体的に、ＵＥは、オンデマンドのＳＩ−ＲＮＴＩによってアドレッシングを行う。
【０１４９】
例３：
当該例は、接続状態ＵＥがＲＲＣメッセージまたはＭＡＣ  ＣＥによってオンデマンドのシステム情報を送信することを例とし、図６に示すように、下記ステップを含む。
ステップ６０１において、ＵＥは、自身のニーズに応じて、必要なオンデマンドのシステム情報リストが含まれるオンデマンドのシステム情報の要求メッセージをネットワーク側に送信し、１つのＲＲＣメッセージであってもよく、１つのＭＡＣ  ＣＥであってもよい。具体的に、ＲＲＣメッセージに含まれるオンデマンドのシステム情報リストは、ｉｎｄｅｘ  ｌｉｓｔであり、ＭＡＣ  ＣＥに含まれるオンデマンドのシステム情報リストは、ＳＩＢ  ｉｎｄｅｘを指示するｂｉｔｍａｐである。ここでｂｉｔｍａｐは、ＳＩＢ１〜ＳＩＢｎがオンデマンドのシステム情報に含まれているかを指示し、含まれる場合、１で示すが、含まれない場合、０で示す。
ステップ６０２において、ネットワーク側は、ＵＥから送信されるオンデマンドのシステム情報の要求メッセージに応じ、自身から提供可能なオンデマンドのシステム情報を考慮し、オンデマンドのシステム情報の応答メッセージまたはオンデマンドのシステム情報の失敗メッセージをＵＥに送信する。具体的に、ネットワーク側は、Ｃ−ＲＮＴＩでスクランブリングが行われたＰＤＣＣＨによって当該メッセージをスケジューリングする。
ＵＥは、オンデマンドのシステム情報の応答ウィンドウ内でオンデマンドのシステム情報の応答メッセージまたはオンデマンドのシステム情報の失敗メッセージを受信する。具体的に、ＵＥは、Ｃ−ＲＮＴＩによってアドレッシングを行う。
【０１５０】
例４：
当該例は、周期的放送で送信されるシステム情報にオンデマンドのシステム情報のシステム指示リストが含まれず、アイドル状態または非活性化ＵＥがランダムアクセス過程によってオンデマンドのシステム情報を送受信することを例とし、下記ステップを含む。
ステップ１において、アイドル状態または非活性化ＵＥは、ネットワーク側から周期的放送で送信されるシステム情報のＭＩＢ、ＳＩＢ１およびＳＩＢ２を受信する。ネットワーク側から周期的放送で送信されるシステム情報にオンデマンドのシステム情報のシステム指示リストが含まれないが、オンデマンドのシステム情報が含まれていることを１ビットによって指示する。同時に、ＵＥ１は、周期的放送で送信されるシステム情報からランダムアクセスの情報を取得する。
ステップ２において、周期的放送で送信されるシステム情報にオンデマンドのシステム情報のシステム情報リストが含まれず、同時に、周期的放送で送信されるシステム情報においてオンデマンドのシステム情報が含まれていることを１で示すため、ＵＥ１は、周期的に放送されるシステム情報以外の他のシステム情報が全てオンデマンドのシステム情報であると推測できる。例えば、オンデマンドのシステム情報は、ＳＩＢ３〜ＳＩＢｎ（ｎ＝２０）である。
ステップ３において、ＵＥ１は、ランダムアクセス過程を引き起こし、Ｍｓｇ１、すなわちＰｒｅａｍｂｌｅを送信する。
ステップ４において、ネットワーク側からＵＥ１にＭｓｇ２、すなわちランダムアクセス応答メッセージを送信する。ＵＥは、ランダムアクセス応答ウィンドウ内でＭｓｇ２を受信する。
ステップ５において、ＵＥ１が暗示的に取得するオンデマンドのシステム情報のシステム指示リストは、｛ＳＩＢ３，ＳＩＢ４，…，ＳＩＢ２０｝であるが、ＵＥ１必要なシステム情報は、ＳＩＢ３、ＳＩＢ４およびＳＩＢ１４である。ＵＥ１は、自身のニーズに応じて、ネットワーク側にＭｓｇ３、すなわちオンデマンドのシステム情報の要求メッセージを送信する。オンデマンドのシステム情報の要求メッセージに含まれるオンデマンドのシステム情報リストは、｛ＳＩＢ３，ＳＩＢ４，ＳＩＢ１４｝である。
ステップ６において、ネットワーク側は、ＵＥ１から送信されるオンデマンドのシステム情報の要求メッセージに応じ、自身から提供可能なオンデマンドのシステム情報ＳＩＢ３〜ＳＩＢ１３を考慮し、ＵＥにＭｓｇ４、すなわちオンデマンドのシステム情報の応答メッセージを送信し、提供可能なシステム情報ＳＩＢ３とＳＩＢ４、および、提供不可能なＳＩＢ１４の指示、例えばＳＩＢ１４のｉｎｄｅｘが含まれる。具体的に、ネットワーク側は、一時的Ｃ−ＲＮＴＩでスクランブリングが行われたＰＤＣＣＨによってＭｓｇ４をスケジューリングする。
ステップ７において、ＵＥ１は、オンデマンドのシステム情報の応答ウィンドウ内でＭｓｇ４、すなわちオンデマンドのシステム情報の応答メッセージを受信する。具体的に、ＵＥ１は、一時的Ｃ−ＲＮＴＩによってアドレッシングを行う。ＵＥ１は、オンデマンドのシステム情報の応答メッセージからシステム情報ＳＩＢ３とＳＩＢ４を取得し、ネットワーク側からシステム情報ＳＩＢ１４の提供不可能が知らされる。
【０１５１】
例５：
当該例は、周期的放送で送信されるシステム情報にオンデマンドのシステム情報のシステム指示リストが含まれ、アイドル状態または非活性化ＵＥがアップリンク信号過程によってオンデマンドのシステム情報を送受信することを例とし、下記ステップを含む。
ステップ１において、アイドル状態または非活性化ＵＥ２、ＵＥ３は、ネットワーク側から周期的放送で送信されるシステム情報のＭＩＢ、ＳＩＢ１およびＳＩＢ２を受信する。ネットワーク側から周期的放送で送信されるシステム情報にオンデマンドのシステム情報リストの｛ＳＩＢ３，ＳＩＢ４，…，ＳＩＢ８｝が含まれる。同時に、ネットワーク側は、周期的放送で送信されるシステム情報によって、Ｐｒｅａｍｂｌｅとオンデマンドのシステム情報とのマッピングテーブルを送信する。Ｐｒｅａｍｂｌｅ１は、ＳＩＢ３に対応し、Ｐｒｅａｍｂｌｅ２は、ＳＩＢ４に対応し、Ｐｒｅａｍｂｌｅ３は、ＳＩＢ５とＳＩＢ６に対応し、Ｐｒｅａｍｂｌｅ４は、ＳＩＢ７とＳＩＢ８に対応する。
ステップ２において、ＵＥ２、ＵＥ３は、ネットワーク側から周期的放送で送信されるシステム情報から直接的にオンデマンドのシステム情報リスト、および、ＰｒｅａｍｂｌｅとＳＩＢとのマッピングテーブルを取得する。
ステップ３において、ＵＥ２に必要なオンデマンドのシステム情報がＳＩＢ３とＳＩＢ４であると、ＵＥ２は、オンデマンドのシステム情報の要求メッセージを示すＰｒｅａｍｂｌｅ１、Ｐｒｅａｍｂｌｅ２をネットワーク側に送信する。ＵＥ３に必要なオンデマンドのシステム情報がＳＩＢ３とＳＩＢ５であると、ＵＥ３は、オンデマンドのシステム情報の要求メッセージを示すＰｒｅａｍｂｌｅ１、Ｐｒｅａｍｂｌｅ３をネットワーク側に送信する。
ステップ４において、ネットワーク側は、２つのＵＥから送信されるオンデマンドのシステム情報の要求メッセージに応じ、自身から提供可能なオンデマンドのシステム情報ＳＩＢ３〜ＳＩＢ８を考慮し、オンデマンドのシステム情報の応答メッセージをマルチキャスト方式でＵＥ２、ＵＥ３に送信し、システム情報ＳＩＢ３、ＳＩＢ４、ＳＩＢ５、ＳＩＢ６が含まれる。具体的に、ネットワーク側は、オンデマンドのＳＩ−ＲＮＴＩでスクランブリングが行われたＰＤＣＣＨによって、オンデマンドのシステム情報の応答メッセージをスケジューリングする。
ステップ５において、ＵＥ２、ＵＥ３は、オンデマンドのシステム情報の応答ウィンドウ内でオンデマンドのシステム情報の応答メッセージを受信する。具体的に、ＵＥ２、ＵＥ３は、オンデマンドのＳＩ−ＲＮＴＩによってアドレッシングを行う。ＵＥ２は、オンデマンドのシステム情報の応答メッセージからシステム情報ＳＩＢ３とＳＩＢ４を取得し、ＵＥ３は、オンデマンドのシステム情報の応答メッセージからシステム情報ＳＩＢ３とＳＩＢ５を取得する。
【０１５２】
例６
当該例は、周期的放送で送信されるシステム情報にオンデマンドのシステム情報リストが含まれず、接続状態ＵＥがＲＲＣメッセージによってオンデマンドのシステム情報を送受信することを例とする。
ステップ１において、接続状態ＵＥ４は、ネットワーク側から周期的放送で送信されるシステム情報のＭＩＢ、ＳＩＢ１およびＳＩＢ２を受信する。ネットワーク側から周期的放送で送信されるシステム情報には、オンデマンドのシステム情報リストが含まれないが、オンデマンドのシステム情報が含まれることを１ビットによって指示する。
ステップ２において、周期的放送で送信されるシステム情報には、オンデマンドのシステム情報リストが含まれず、同時に、周期的放送で送信されるシステム情報においてオンデマンドのシステム情報が含まれていることを１ビットによって指示するため、ＵＥ４は、要求と応答の方式でオンデマンドのシステム情報リストを取得する。具体的に、ＵＥ４は、ＲＲＣメッセージの中の要求情報またはスケジューリング情報によって、オンデマンドのシステム情報リストの取得を要求する。ネットワーク側は、ＲＲＣメッセージによって、オンデマンドのシステム情報リストを送信する。例えば、ＲＲＣメッセージには、オンデマンドのシステム情報リストの｛ＳＩＢ３，ＳＩＢ４，…，ＳＩＢ８｝が含まれる。
ステップ３において、ＵＥ４が明示的に取得したオンデマンドのシステム情報リストが｛ＳＩＢ３，ＳＩＢ４，…，ＳＩＢ８｝である。ＵＥ４に必要なシステム情報がＳＩＢ３、ＳＩＢ４であると、オンデマンドのシステム情報の要求メッセージをネットワーク側に送信し、必要なオンデマンドのシステム情報リストの｛ＳＩＢ３，ＳＩＢ４｝が含まれる。
ステップ４において、ネットワーク側は、ＵＥ４から送信されるオンデマンドのシステム情報の要求メッセージに応じ、自身から提供可能なオンデマンドのシステム情報のＳＩＢ３〜ＳＩＢ８を考慮し、オンデマンドのシステム情報の応答メッセージをＵＥ４に送信し、システム情報ＳＩＢ３、ＳＩＢ４が含まれる。具体的に、ネットワーク側は、Ｃ−ＲＮＴＩでスクランブリングが行われたＰＤＣＣＨによって当該メッセージをスケジューリングする。
ステップ５において、ＵＥは、オンデマンドのシステム情報の応答ウィンドウ内でオンデマンドのシステム情報の応答メッセージを受信する。具体的に、ＵＥは、Ｃ−ＲＮＴＩによってアドレッシングを行う。ＵＥ４は、オンデマンドのシステム情報の応答メッセージからシステム情報ＳＩＢ３、ＳＩＢ４を取得する。
【０１５３】
例７
当該例は、周期的放送で送信されるシステム情報にオンデマンドのシステム情報リストが含まれ、２つの接続状態ＵＥがＭＡＣ  ＣＥによってオンデマンドのシステム情報を送受信することを例とする。
ステップ１において、接続状態ＵＥ５、ＵＥ６は、ネットワーク側から周期的放送で送信されるシステム情報のＭＩＢ、ＳＩＢ１およびＳＩＢ２を受信する。ネットワーク側から周期的放送で送信されるシステム情報には、オンデマンドのシステム情報リストの｛００１１１１１１００００００００００００｝が含まれる。ここでｂｉｔｍａｐは、ＳＩＢ１〜ＳＩＢｎ（ｎ＝２０）がオンデマンドのシステム情報に含まれているかを指示し、含まれる場合、１で示すが、含まれない場合、０で示す。
ステップ２において、ＵＥ５、ＵＥ６は、ネットワーク側から周期的放送で送信されるシステム情報から、オンデマンドのシステム情報リストの｛００１１１１１１００００００００００００｝を直接的に取得する。
ステップ３において、ＵＥ５に必要なオンデマンドのシステム情報がＳＩＢ３とＳＩＢ４であると、ＵＥ５は、オンデマンドのシステム情報の要求メッセージをネットワーク側に送信し、オンデマンドのシステム情報リストの｛００１１００００００００００００００００｝が含まれる。この場合，周期的に放送されるシステム情報において、ｓｙｓｔｅｍＩｎｆｏＶａｌｕｅＴａｇは、５である。ＵＥ６に必要なオンデマンドのシステム情報がＳＩＢ３とＳＩＢ５であると、ＵＥ６は、オンデマンドのシステム情報の要求メッセージをネットワーク側に送信し、オンデマンドのシステム情報リストの｛００１０１０００００００００００００００｝が含まれる。この場合、周期的に放送されるシステム情報において、ｓｙｓｔｅｍＩｎｆｏＶａｌｕｅＴａｇは、６である。
ステップ４において、ネットワーク側は、２つのＵＥから送信されるオンデマンドのシステム情報の要求メッセージに応じ、自身から提供可能なオンデマンドのシステム情報のＳＩＢ３〜ＳＩＢ８を考慮し、オンデマンドのシステム情報の応答メッセージをマルチキャスト方式でＵＥ５、ＵＥ６に送信し、システム情報ＳＩＢ３、ＳＩＢ４、ＳＩＢ５およびｓｙｓｔｅｍＩｎｆｏＶａｌｕｅＴａｇが６であることが含まれる。具体的に、ネットワーク側は、オンデマンドのＳＩ−ＲＮＴＩでスクランブリングが行われたＰＤＣＣＨによって、オンデマンドのシステム情報の応答メッセージをスケジューリングする。
ネットワーク側は、オンデマンドのシステム情報を繰り返して送信する。ＵＥ５、ＵＥ６は、ＨＡＲＱ再送合併（ＡＣＫ／ＮＡＣＫフィードバックがない）によってシステム情報の受信性能を向上させる。
ステップ５において、ＵＥ５、ＵＥ６は、オンデマンドのシステム情報の応答ウィンドウ内でオンデマンドのシステム情報の応答メッセージを受信する。具体的に、ＵＥ５、ＵＥ６は、オンデマンドのＳＩ−ＲＮＴＩによってアドレッシングを行う。ＵＥ５は、オンデマンドのシステム情報の応答メッセージからシステム情報ＳＩＢ３、ＳＩＢ４、およびｓｙｓｔｅｍＩｎｆｏＶａｌｕｅＴａｇが６であることを取得する。ＵＥ５がオンデマンドのシステム情報の応答メッセージを受信する際に、応答メッセージ含まれているｓｙｓｔｅｍＩｎｆｏＶａｌｕｅＴａｇと、ＵＥ５からオンデマンドのシステム情報の要求メッセージを送信する際に、周期的に放送されるシステム情報のｓｙｓｔｅｍＩｎｆｏＶａｌｕｅＴａｇとは、値が異なるため、ＵＥ５が取得したオンデマンドのシステム情報の無効を意味し、ＵＥ５は、次回のオンデマンドのシステム情報の送受信過程を行う必要がある。ＵＥ６は、オンデマンドのシステム情報の応答メッセージからシステム情報ＳＩＢ３、ＳＩＢ５、およびｓｙｓｔｅｍＩｎｆｏＶａｌｕｅＴａｇが６であることを取得する。ＵＥ６がオンデマンドのシステム情報の応答メッセージを受信する際に、応答メッセージに含まれているｓｙｓｔｅｍＩｎｆｏＶａｌｕｅＴａｇと、ＵＥ６からオンデマンドのシステム情報の要求メッセージを送信する際に、周期的に放送されるシステム情報のｓｙｓｔｅｍＩｎｆｏＶａｌｕｅＴａｇとは、値が同一であるため、ＵＥ６が取得したオンデマンドのシステム情報の有効を意味する。
【０１５４】
図７には、ＵＥの構造が示されている。
ＵＥ７００は、
ネットワーク側機器から送信されるシステム情報であって、前記ネットワーク側機器の一部システム情報である前記システム情報を受信することに用いられる第１受信モジュール７０１と、
前記ＵＥに必要なシステム情報を要求することに用いられる要求メッセージを前記ネットワーク側機器に送信することに用いられる第１送信モジュール７０２と、
前記ネットワーク側機器の前記一部システム情報を除いた別部分のシステム情報であるオンデマンドのシステム情報のうち、前記ＵＥに必要なシステム情報を前記ネットワーク側から受信することに用いられる第２受信モジュール７０３とを含む。
【０１５５】
選択可能に、前記ＵＥ７００に必要なシステム情報は、前記ＵＥが取得する情報指示リストに指示される一部または全てのシステム情報であり、前記情報指示リストは、前記オンデマンドのシステム情報の指示リストである。
【０１５６】
選択可能に、第１受信モジュール７０１は、システム情報を含むシステムメッセージをネットワーク側機器から受信することに用いられ、前記システムメッセージには、前記情報指示リストをさらに含む。
【０１５７】
選択可能に、第１受信モジュール７０１は、システム情報を含むシステムメッセージをネットワーク側機器から受信することに用いられ、前記システムメッセージには、前記オンデマンドのシステム情報が前記ネットワーク側機器に存在するかの指示情報をさらに含む。
【０１５８】
選択可能に、図８に示すように、ＵＥ７００は、
前記指示情報によって、前記オンデマンドのシステム情報が前記ネットワーク側機器に存在すると指示するのであれば、前記情報指示リストの取得要求メッセージを前記ネットワーク側機器に送信することに用いられる第２送信モジュール７０４と、
前記ネットワーク側機器から送信される前記情報指示リストを受信することに用いられる第３受信モジュール７０５をさらに含む。
【０１５９】
選択可能に、図９に示すように、ＵＥ７００は、前記指示情報によって、前記オンデマンドのシステム情報が前記ネットワーク側機器に存在すると指示するのであれば、前記システムメッセージに含まれるシステム情報以外のシステム情報を、オンデマンドのシステム情報として特定することに用いられる第１特定モジュール７０６をさらに含む。
ここで、前記情報指示リストは、特定した前記オンデマンドのシステム情報の指示リストである。
【０１６０】
選択可能に、前記第１受信モジュール７０１は、システム情報を含むシステムメッセージをネットワーク側機器から受信することに用いられ、前記システムメッセージには、前記オンデマンドのシステム情報が前記ネットワーク側機器に存在するかの指示情報をさらに含む。
【０１６１】
図１０に示すように、ＵＥ７００は、前記指示情報によって、前記オンデマンドのシステム情報が前記ネットワーク側機器に存在すると指示するのであれば、前記システムメッセージに含まれるシステム情報以外のシステム情報を、オンデマンドのシステム情報として特定することに用いられる第２特定モジュール７０７をさらに含む。
ここで、前記ＵＥに必要なシステム情報は、特定した前記オンデマンドのシステム情報の一部または全てのシステム情報である。
【０１６２】
選択可能に、第２受信モジュール７０３は、
前記オンデマンドのシステム情報のうち、前記ＵＥに必要なシステム情報の全てを含み、前記ネットワーク側から送信される応答メッセージを受信すること、または、
前記オンデマンドのシステム情報のうち、前記ＵＥに必要なシステム情報の一部、および、別部分の必要なシステム情報の提供不可能を指示する指示情報を含み、前記ネットワーク側から送信される応答メッセージを受信すること、または、
前記オンデマンドのシステム情報のうち、前記ＵＥに必要なシステム情報の全て、および、前記オンデマンドのシステム情報のうち、他のＵＥに必要なシステム情報の全てを含み、前記ネットワーク側からマルチキャストで送信される応答メッセージを受信すること、または、
前記オンデマンドのシステム情報のうち前記ＵＥに必要なシステム情報、前記オンデマンドのシステム情報のうち他のＵＥに必要なシステム情報、および、前記要求メッセージおよび／または前記他のＵＥに要求される一部システム情報の提供不可能を指示する指示情報を含み、前記ネットワーク側からマルチキャストで送信される応答メッセージを受信すること、または、
前記オンデマンドのシステム情報のうち前記ＵＥに必要なシステム情報の全て、および、他のＵＥに必要なシステム情報の提供不可能を指示する失敗指示情報を含み、前記ネットワーク側からマルチキャストで送信される応答メッセージを受信することに用いられる。
【０１６３】
選択可能に、前記第２受信モジュール７０３は、前記ネットワーク側機器の前記オンデマンドのシステム情報には、前記ＵＥに必要なシステム情報が存在する場合、前記オンデマンドのシステム情報のうち前記ＵＥに必要なシステム情報を前記ネットワーク側から受信することに用いられる。
【０１６４】
図１１に示すように、ＵＥ７００は、前記ネットワーク側機器の前記オンデマンドのシステム情報には、前記ＵＥに必要なシステム情報が存在しない場合、前記ネットワーク側機器から送信されるシステム情報取得失敗メッセージを受信することに用いられる第４受信モジュール７０８をさらに含む。
【０１６５】
選択可能に、第２受信モジュール７０３は、前記オンデマンドのシステム情報のうち前記ＵＥに必要なシステム情報およびｓｙｓｔｅｍＩｎｆｏＶａｌｕｅＴａｇを含み、前記ネットワーク側から送信される応答メッセージを受信することに用いられる。
【０１６６】
図１２に示すように、ＵＥ７００は、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断することに用いられる第１判断モジュール７０９をさらに含み、一致するのであれば、前記ネットワーク側機器から送信される前記ＵＥに必要なシステム情報が有効であると特定し、一致しないのであれば、前記ネットワーク側機器から送信される前記ＵＥに必要なシステム情報が無効であると特定する。
【０１６７】
選択可能に、図１３に示すように、ＵＥ７００は、ｓｙｓｔｅｍＩｎｆｏＶａｌｕｅＴａｇを取得することに用いられる取得モジュール７０１０をさらに含む。
ここで、前記ｓｙｓｔｅｍＩｎｆｏＶａｌｕｅＴａｇは、前記ＵＥが前記ネットワーク側機器から送信される前記ＵＥに必要なシステム情報を受信する際に、前記ネットワーク側機器から周期的に放送されるシステム情報のうちｓｙｓｔｅｍＩｎｆｏＶａｌｕｅＴａｇである。
ＵＥ７００は、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断することに用いられる第２判断モジュール７０１１をさらに含み、一致するのであれば、前記ネットワーク側機器から送信される前記ＵＥに必要なシステム情報が有効であると特定し、一致しないのであれば、前記ネットワーク側機器から送信される前記ＵＥに必要なシステム情報が無効であると特定する。
【０１６８】
選択可能に、前記要求メッセージは、ｂｉｔｍａｐまたはインデックスによって、前記ＵＥに必要なシステム情報を示す。
【０１６９】
選択可能に、前記第１送信モジュール７０２は、ランダムアクセス過程で前記ネットワーク側機器に前記要求メッセージを送信することに用いられる。
前記第２受信モジュール７０３は、前記ランダムアクセス過程で、前記ネットワーク側機器から送信される前記オンデマンドのシステム情報のうち前記ＵＥに必要なシステム情報を受信することに用いられる。
【０１７０】
選択可能に、第１送信モジュール７０２は、前記ＵＥに必要なシステム情報に対応するアップリンク信号を前記ネットワーク側機器に送信することに用いられる。
よって、前記ネットワーク側機器が、前記アップリンク信号によって、前記ＵＥに必要なシステム情報を特定する。
【０１７１】
選択可能に、図１４に示すように、前記ＵＥは、前記ＵＥがアップリンク信号とシステム情報とのマッピング関係情報を前記ネットワーク側機器から受信することに用いられる第５受信モジュール７０１２をさらに含む。
【０１７２】
選択可能に、第１送信モジュール７０２は、ＲＲＣメッセージまたはＭＡＣ  ＣＥによって、前記ネットワーク側機器に前記要求メッセージを送信することに用いられる。
【０１７３】
なお、本実施例における上記ＵＥ７００は、本開示の実施例の方法実施例における任意の実施形態のＵＥであってもよい。本開示の実施例の方法実施例におけるＵＥの任意の実施形態は、いずれも本実施例における上記ＵＥ７００によって実現され、同一の有益な効果を奏することができる。よって、ここでは繰り返して記載しない。
【０１７４】
図１５には、ネットワーク側機器の構造が示されている。
ネットワーク側機器１５００は、
前記ネットワーク側機器の一部システム情報であるシステム情報をＵＥに送信することに用いられる第１送信モジュール１５０１と、
前記ＵＥに必要なシステム情報を要求することに用いられる要求メッセージを前記ＵＥから受信することに用いられる第１受信モジュール１５０２と、
前記ネットワーク側機器の前記一部システム情報を除いた別部分のシステム情報であるオンデマンドのシステム情報のうち、前記ＵＥに必要なシステム情報を前記ＵＥに送信することに用いられる第２送信モジュール１５０３とを含む。
【０１７５】
選択可能に、ＵＥに必要なシステム情報は、前記ＵＥが取得する情報指示リストに指示される一部または全てのシステム情報であり、前記情報指示リストは、前記オンデマンドのシステム情報の指示リストである。
【０１７６】
選択可能に、第１送信モジュール１５０１は、システム情報を含むシステムメッセージをＵＥに送信することに用いられる。前記システムメッセージには、前記情報指示リストをさらに含む。
【０１７７】
選択可能に、第１送信モジュール１５０１は、システム情報を含むシステムメッセージをＵＥに送信することに用いられる。
前記システムメッセージには、前記オンデマンドのシステム情報が前記ネットワーク側機器に存在するかの指示情報をさらに含む。
【０１７８】
選択可能に、図１６に示すように、ネットワーク側機器１５００は、
前記指示情報によって、前記オンデマンドのシステム情報が前記ネットワーク側機器に存在すると指示するのであれば、前記情報指示リストの取得要求メッセージを前記ＵＥから受信することに用いられる第２受信モジュール１５０４と、
前記情報指示リストを前記ＵＥに送信することに用いられる第３送信モジュール１５０５をさらに含む。
【０１７９】
選択可能に、前記指示情報によって、前記オンデマンドのシステム情報が前記ネットワーク側機器に存在すると指示するのであれば、前記システムメッセージに含まれるシステム情報以外のシステム情報が前記ＵＥによってオンデマンドのシステム情報として特定される。
ここで、前記情報指示リストは、特定した前記オンデマンドのシステム情報の指示リストである。
【０１８０】
選択可能に、前記第１送信モジュール１５０１は、システム情報を含むシステムメッセージをＵＥに送信することに用いられる。前記システムメッセージには、前記オンデマンドのシステム情報が前記ネットワーク側機器に存在するかの指示情報をさらに含む。前記指示情報によって、前記オンデマンドのシステム情報が前記ネットワーク側機器に存在すると指示するのであれば、前記システムメッセージに含まれるシステム情報以外のシステム情報が前記ＵＥによってオンデマンドのシステム情報として特定される。
ここで、前記ＵＥに必要なシステム情報は、特定した前記オンデマンドのシステム情報の一部または全てのシステム情報である。
【０１８１】
選択可能に、前記第２送信モジュール１５０３は、
前記オンデマンドのシステム情報のうち、前記ＵＥに必要なシステム情報の全てを含む応答メッセージを前記ＵＥに送信すること、または、
前記オンデマンドのシステム情報のうち、前記ＵＥに必要なシステム情報の一部、および、別部分の必要なシステム情報の提供不可能を指示する指示情報を含む応答メッセージを前記ＵＥに送信すること、または、
前記オンデマンドのシステム情報のうち、前記ＵＥに必要なシステム情報の全て、および、前記オンデマンドのシステム情報のうち、他のＵＥに必要なシステム情報の全てを含む応答メッセージをマルチキャスト方式で前記ＵＥに送信すること、または、
前記オンデマンドのシステム情報のうち前記ＵＥに必要なシステム情報、前記オンデマンドのシステム情報のうち他のＵＥに必要なシステム情報、および、前記要求メッセージおよび／または前記他のＵＥに要求される一部システム情報の提供不可能を指示する指示情報を含む応答メッセージをマルチキャスト方式で前記ＵＥに送信すること、または、
前記オンデマンドのシステム情報のうち前記ＵＥに必要なシステム情報の全て、および、他のＵＥに必要なシステム情報の提供不可能を指示する失敗指示情報を含む応答メッセージをマルチキャスト方式で前記ＵＥに送信することに用いられる。
【０１８２】
選択可能に、前記第２送信モジュールは、前記ネットワーク側機器の前記オンデマンドのシステム情報には、前記ＵＥに必要なシステム情報が存在する場合、前記オンデマンドのシステム情報のうち前記ＵＥに必要なシステム情報を前記ＵＥに送信することに用いられる。
【０１８３】
図１７に示すように、ネットワーク側機器１５００は、前記ネットワーク側機器の前記オンデマンドのシステム情報には、前記ＵＥに必要なシステム情報が存在しない場合、システム情報取得失敗メッセージを前記ＵＥに送信することに用いられる第４送信モジュール１５０６をさらに含む。
【０１８４】
選択可能に、前記第２送信モジュール１５０３は、前記オンデマンドのシステム情報のうち前記ＵＥに必要なシステム情報およびｓｙｓｔｅｍＩｎｆｏＶａｌｕｅＴａｇを含む応答メッセージを前記ＵＥに送信することに用いられる。よって、前記ＵＥが、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ＵＥに必要なシステム情報が有効であると特定し、一致しないのであれば、前記ネットワーク側機器から送信される前記ＵＥに必要なシステム情報が無効であると特定する。
【０１８５】
選択可能に、図１８に示すように、前記ネットワーク側機器は、前記ＵＥに必要なシステム情報を前記ＵＥに送信する際に、ｓｙｓｔｅｍＩｎｆｏＶａｌｕｅＴａｇを含むシステム情報を放送することに用いられる放送モジュール１５０７をさらに含む。よって、前記ＵＥは、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ＵＥに必要なシステム情報が有効であると特定し、一致しないのであれば、前記ネットワーク側機器から送信される前記ＵＥに必要なシステム情報が無効であると特定する。
【０１８６】
選択可能に、前記要求メッセージは、ｂｉｔｍａｐまたはインデックスによって、前記ＵＥに必要なシステム情報を示す。
【０１８７】
選択可能に、前記第１受信モジュール１５０２は、前記ＵＥからランダムアクセス過程で送信される前記要求メッセージを受信することに用いられる。
前記第２送信モジュール１５０３は、前記ランダムアクセス過程で、前記オンデマンドのシステム情報のうち前記ＵＥに必要なシステム情報を前記ＵＥに送信することに用いられる。
【０１８８】
選択可能に、前記第１受信モジュール１５０２は、前記ＵＥに必要なシステム情報に対応するアップリンク信号を前記ＵＥから受信することに用いられる。
【０１８９】
図１９に示すように、ネットワーク側機器１５００は、前記アップリンク信号によって、前記ＵＥに必要なシステム情報を特定することに用いられる特定モジュール１５０８をさらに含む。
【０１９０】
選択可能に、図２０に示すように、ネットワーク側機器１５００は、アップリンク信号とシステム情報とのマッピング関係情報を前記ＵＥに送信することに用いられる第５送信モジュール１５０９をさらに含む。
【０１９１】
選択可能に、第１受信モジュール１５０２は、前記ＵＥからＲＲＣメッセージまたはＭＡＣ  ＣＥによって送信される前記要求メッセージを受信することに用いられる。
【０１９２】
なお、本実施例における上記ネットワーク側機器１５００は、本開示の実施例の方法実施例における任意の実施形態のネットワーク側機器であってもよい。本開示の実施例の方法実施例におけるネットワーク側機器の任意の実施形態は、いずれも本実施例における上記ネットワーク側機器１５００によって実現され、同一の有益な効果を奏することができる。よって、ここでは繰り返して記載しない。
【０１９３】
図２１には、ＵＥの構造が示されている。
当該ＵＥは、
プロセッサ２１００と、プロセッサ２１００による制御の下でデータを送受信することに用いられるトランシーバ２１１０と、メモリ２１２０と、ユーザインタフェース２１３０と、バスインタフェースを含む。
プロセッサ２１００は、
メモリ２１２０からプログラムを読み取ることによって、ネットワーク側機器から送信されるシステム情報であって、前記ネットワーク側機器の一部システム情報である前記システム情報をトランシーバ２１１０経由で受信するプロセスと、
前記ユーザ端末に必要なシステム情報を要求することに用いられる要求メッセージを前記ネットワーク側機器にトランシーバ２１１０経由で送信するプロセスと、
前記ネットワーク側機器の前記一部システム情報を除いた別部分のシステム情報であるオンデマンドのシステム情報のうち、前記ユーザ端末に必要なシステム情報を前記ネットワーク側からトランシーバ２１１０経由で受信するプロセスを実行する。
【０１９４】
図２１において、バスアーキテクチャは、任意数の相互接続するバスとブリッジを含み、具体的に、プロセッサ２１００をはじめとする１つ又は複数のプロセッサとメモリ２１２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ２１１０は、複数の部品であってもよく、即ち送信機と受信機を含み、伝送媒体でほかの各種類の装置と通信するユニットとして提供される。ユーザ端末によっては、ユーザインタフェース２１３０は、内部接続や外部接続する機器のインタフェースであってもよい。接続する機器は、キーパッド、ディスプレイ、スピーカ、マイクロフォン、ジョイスティックなどを含むが、それらに限られない。
【０１９５】
プロセッサ２１００は、バスアーキテクチャと通常の処理を管理する。メモリ２１２０は、プロセッサ２１００による操作実行に使用されるデータの記憶が可能である。
【０１９６】
選択可能に、前記ＵＥに必要なシステム情報は、前記ＵＥが取得する情報指示リストに指示される一部または全てのシステム情報であり、前記情報指示リストは、前記オンデマンドのシステム情報の指示リストである。
【０１９７】
選択可能に、前記のネットワーク側機器から送信されるシステム情報を受信することは、システム情報を含むシステムメッセージをネットワーク側機器から受信することを含む。前記システムメッセージには、前記情報指示リストをさらに含む。
【０１９８】
選択可能に、前記のネットワーク側機器から送信されるシステム情報を受信することは、システム情報を含むシステムメッセージをネットワーク側機器から受信することを含む。前記システムメッセージには、前記オンデマンドのシステム情報が前記ネットワーク側機器に存在するかの指示情報をさらに含む。
【０１９９】
選択可能に、前記プロセッサ２１００は、
前記指示情報によって、前記オンデマンドのシステム情報が前記ネットワーク側機器に存在すると指示するのであれば、前記情報指示リストの取得要求メッセージを前記ネットワーク側機器にトランシーバ２１１０経由で送信することと、
前記ネットワーク側機器から送信される前記情報指示リストをトランシーバ２１１０経由で受信することに用いられる。
【０２００】
選択可能に、プロセッサ２１００は、
前記指示情報によって、前記オンデマンドのシステム情報が前記ネットワーク側機器に存在すると指示するのであれば、前記システムメッセージに含まれるシステム情報以外のシステム情報を、オンデマンドのシステム情報として特定することに用いられる。
ここで、前記情報指示リストは、特定した前記オンデマンドのシステム情報の指示リストである。
【０２０１】
選択可能に、前記のネットワーク側機器から送信されるシステム情報を受信することは、システム情報を含むシステムメッセージをネットワーク側機器から受信することを含む。前記システムメッセージには、前記オンデマンドのシステム情報が前記ネットワーク側機器に存在するかの指示情報をさらに含む。
プロセッサ２１００は、前記指示情報によって、前記オンデマンドのシステム情報が前記ネットワーク側機器に存在すると指示するのであれば、前記システムメッセージに含まれるシステム情報以外のシステム情報を、オンデマンドのシステム情報として特定することに用いられる。
ここで、前記ＵＥに必要なシステム情報は、特定した前記オンデマンドのシステム情報の一部または全てのシステム情報である。
【０２０２】
選択可能に、前記の前記オンデマンドのシステム情報のうち前記ＵＥに必要なシステム情報を前記ネットワーク側機器から受信することは、
前記オンデマンドのシステム情報のうち、前記ＵＥに必要なシステム情報の全てを含み、前記ネットワーク側から送信される応答メッセージを受信すること、または、
前記オンデマンドのシステム情報のうち、前記ＵＥに必要なシステム情報の一部、および、別部分の必要なシステム情報の提供不可能を指示する指示情報を含み、前記ネットワーク側から送信される応答メッセージを受信すること、または、
前記オンデマンドのシステム情報のうち、前記ＵＥに必要なシステム情報の全て、および、前記オンデマンドのシステム情報のうち、他のＵＥに必要なシステム情報の全てを含み、前記ネットワーク側からマルチキャストで送信される応答メッセージを受信すること、または、
前記オンデマンドのシステム情報のうち前記ＵＥに必要なシステム情報、前記オンデマンドのシステム情報のうち他のＵＥに必要なシステム情報、および、前記要求メッセージおよび／または前記他のＵＥに要求される一部システム情報の提供不可能を指示する指示情報を含み、前記ネットワーク側からマルチキャストで送信される応答メッセージを受信すること、または、
前記オンデマンドのシステム情報のうち前記ＵＥに必要なシステム情報の全て、および、他のＵＥに必要なシステム情報の提供不可能を指示する失敗指示情報を含み、前記ネットワーク側からマルチキャストで送信される応答メッセージを受信することを含む。
【０２０３】
選択可能に、前記の前記オンデマンドのシステム情報のうち前記ＵＥに必要なシステム情報を前記ネットワーク側機器から受信することは、前記ネットワーク側機器の前記オンデマンドのシステム情報には、前記ＵＥに必要なシステム情報が存在する場合、前記オンデマンドのシステム情報のうち前記ＵＥに必要なシステム情報を前記ネットワーク側から受信することを含む。
プロセッサ２１００は、さらに、前記ネットワーク側機器の前記オンデマンドのシステム情報には、前記ＵＥに必要なシステム情報が存在しない場合、前記ネットワーク側機器から送信されるシステム情報取得失敗メッセージをトランシーバ２１１０経由で受信することに用いられる。
【０２０４】
選択可能に、前記の前記オンデマンドのシステム情報のうち前記ＵＥに必要なシステム情報を前記ネットワーク側機器から受信することは、前記オンデマンドのシステム情報のうち前記ＵＥに必要なシステム情報およびｓｙｓｔｅｍＩｎｆｏＶａｌｕｅＴａｇを含み、前記ネットワーク側から送信される応答メッセージを受信することを含む。
プロセッサ２１００は、さらに、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断することに用いられ、一致するのであれば、前記ネットワーク側機器から送信される前記ＵＥに必要なシステム情報が有効であると特定し、一致しないのであれば、前記ネットワーク側機器から送信される前記ＵＥに必要なシステム情報が無効であると特定する。
【０２０５】
選択可能に、プロセッサ２１００は、さらに、ｓｙｓｔｅｍＩｎｆｏＶａｌｕｅＴａｇをトランシーバ２１１０経由で取得することに用いられる。ここで、前記ｓｙｓｔｅｍＩｎｆｏＶａｌｕｅＴａｇは、前記ＵＥが前記ネットワーク側機器から送信される前記ＵＥに必要なシステム情報を受信する際に、前記ネットワーク側機器から周期的に放送されるシステム情報のうちｓｙｓｔｅｍＩｎｆｏＶａｌｕｅＴａｇである。
プロセッサ２１００は、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ＵＥに必要なシステム情報が有効であると特定し、一致しないのであれば、前記ネットワーク側機器から送信される前記ＵＥに必要なシステム情報が無効であると特定する。
【０２０６】
選択可能に、前記要求メッセージは、ｂｉｔｍａｐまたはインデックスによって、前記ＵＥに必要なシステム情報を示す。
【０２０７】
選択可能に、前記の要求メッセージを前記ネットワーク側機器に送信することは、ランダムアクセス過程で前記ネットワーク側機器に前記要求メッセージを送信することを含む。
前記の前記オンデマンドのシステム情報のうち前記ＵＥに必要なシステム情報を前記ネットワーク側機器から受信することは、前記ランダムアクセス過程で、前記ネットワーク側機器から送信される前記オンデマンドのシステム情報のうち前記ＵＥに必要なシステム情報を受信することを含む。
【０２０８】
選択可能に、前記の要求メッセージを前記ネットワーク側機器に送信することは、前記ＵＥに必要なシステム情報に対応するアップリンク信号を前記ネットワーク側機器に送信することを含む。よって、前記ネットワーク側機器が、前記アップリンク信号によって、前記ＵＥに必要なシステム情報を特定する。
【０２０９】
選択可能に、プロセッサ２１００は、さらに、アップリンク信号とシステム情報とのマッピング関係情報を前記ネットワーク側機器から受信することに用いられる。
【０２１０】
選択可能に、前記の要求メッセージを前記ネットワーク側機器に送信することは、ＲＲＣメッセージまたはＭＡＣ  ＣＥによって、前記ネットワーク側機器に前記要求メッセージを送信することを含む。
【０２１１】
なお、本実施例における上記ＵＥは、本開示の実施例の方法実施例における任意の実施形態のＵＥであってもよい。本開示の実施例の方法実施例におけるＵＥの任意の実施形態は、いずれも本実施例における上記ＵＥによって実現され、同一の有益な効果を奏することができる。よって、ここでは繰り返して記載しない。
【０２１２】
図２２には、ネットワーク側機器の構造が示されている。
当該ネットワーク側機器は、プロセッサ２２００と、プロセッサ２２００による制御の下でデータを送受信することに用いられるトランシーバ２２１０と、メモリ２２２０と、ユーザインタフェース２２３０と、バスインタフェースを含む。
プロセッサ２２００は、メモリ２２２０からプログラムを読み取ることによって、
前記ネットワーク側機器の一部システム情報であるシステム情報をトランシーバ２２１０経由でＵＥに送信するプロセスと、
前記ＵＥに必要なシステム情報を要求することに用いられる要求メッセージを前記ＵＥからトランシーバ２１１０経由で受信するプロセスと、
前記ネットワーク側機器の前記一部システム情報を除いた別部分のシステム情報であるオンデマンドのシステム情報のうち、前記ＵＥに必要なシステム情報を前記ＵＥにトランシーバ２２１０経由で送信するプロセスを実行する。
【０２１３】
図２２において、バスアーキテクチャは、任意数の相互接続するバスとブリッジを含み、具体的に、プロセッサ２２００をはじめとする１つ又は複数のプロセッサとメモリ２２２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ２２１０は、複数の部品であってもよく、即ち送信機と受信機を含み、伝送媒体でほかの各種類の装置と通信するユニットとして提供される。ユーザ端末によっては、ユーザインタフェース２２３０は、内部接続や外部接続する機器のインタフェースであってもよい。接続する機器は、キーパッド、ディスプレイ、スピーカ、マイクロフォン、ジョイスティックなどを含むが、それらに限られない。
【０２１４】
プロセッサ２２００は、バスアーキテクチャと通常の処理を管理する。メモリ２２２０は、プロセッサ２１００による操作実行に使用されるデータの記憶が可能である。
【０２１５】
選択可能に、前記ＵＥに必要なシステム情報は、前記ＵＥが取得する情報指示リストに指示される一部または全てのシステム情報であり、前記情報指示リストは、前記オンデマンドのシステム情報の指示リストである。
【０２１６】
選択可能に、前記のシステム情報をＵＥに送信することは、システム情報を含むシステムメッセージをＵＥに送信することを含む。
前記システムメッセージには、前記情報指示リストをさらに含む。
【０２１７】
選択可能に、前記のシステム情報をＵＥに送信することは、システム情報を含むシステムメッセージをＵＥに送信することを含む。
前記システムメッセージには、前記オンデマンドのシステム情報が前記ネットワーク側機器に存在するかの指示情報をさらに含む。
【０２１８】
選択可能に、プロセッサ２２００は、さらに、
前記指示情報によって、前記オンデマンドのシステム情報が前記ネットワーク側機器に存在すると指示するのであれば、前記情報指示リストの取得要求メッセージを前記ＵＥからトランシーバ２２１０経由で受信することと、
前記情報指示リストを前記ＵＥにトランシーバ２２１０経由で送信することに用いられる。
【０２１９】
選択可能に、前記指示情報によって、前記オンデマンドのシステム情報が前記ネットワーク側機器に存在すると指示するのであれば、前記システムメッセージに含まれるシステム情報以外のシステム情報が前記ＵＥによってオンデマンドのシステム情報として特定される。
ここで、前記情報指示リストは、特定した前記オンデマンドのシステム情報の指示リストである。
【０２２０】
選択可能に、前記のシステム情報をＵＥに送信することは、システム情報を含むシステムメッセージをＵＥに送信することを含む。前記システムメッセージには、前記オンデマンドのシステム情報が前記ネットワーク側機器に存在するかの指示情報をさらに含む。前記指示情報によって、前記オンデマンドのシステム情報が前記ネットワーク側機器に存在すると指示するのであれば、前記システムメッセージに含まれるシステム情報以外のシステム情報が前記ＵＥによってオンデマンドのシステム情報として特定される。
ここで、前記ＵＥに必要なシステム情報は、特定した前記オンデマンドのシステム情報の一部または全てのシステム情報である。
【０２２１】
選択可能に、前記の前記オンデマンドのシステム情報のうち前記ＵＥに必要なシステム情報を前記ＵＥに送信することは、
前記オンデマンドのシステム情報のうち、前記ＵＥに必要なシステム情報の全てを含む応答メッセージを前記ＵＥに送信すること、または、
前記オンデマンドのシステム情報のうち、前記ＵＥに必要なシステム情報の一部、および、別部分の必要なシステム情報の提供不可能を指示する指示情報を含む応答メッセージを前記ＵＥに送信すること、または、
前記オンデマンドのシステム情報のうち、前記ＵＥに必要なシステム情報の全て、および、前記オンデマンドのシステム情報のうち、他のＵＥに必要なシステム情報の全てを含む応答メッセージをマルチキャスト方式で前記ＵＥに送信すること、または、
前記オンデマンドのシステム情報のうち前記ＵＥに必要なシステム情報、前記オンデマンドのシステム情報のうち他のＵＥに必要なシステム情報、および、前記要求メッセージおよび／または前記他のＵＥに要求される一部システム情報の提供不可能を指示する指示情報を含む応答メッセージをマルチキャスト方式で前記ＵＥに送信すること、または、
前記オンデマンドのシステム情報のうち前記ＵＥに必要なシステム情報の全て、および、他のＵＥに必要なシステム情報の提供不可能を指示する失敗指示情報を含む応答メッセージをマルチキャスト方式で前記ＵＥに送信することを含む。
【０２２２】
選択可能に、前記の前記オンデマンドのシステム情報のうち前記ＵＥに必要なシステム情報を前記ＵＥに送信することは、前記ネットワーク側機器の前記オンデマンドのシステム情報には、前記ＵＥに必要なシステム情報が存在する場合、前記オンデマンドのシステム情報のうち前記ＵＥに必要なシステム情報を前記ＵＥに送信することを含む。
プロセッサ２２００は、さらに、前記ネットワーク側機器の前記オンデマンドのシステム情報には、前記ＵＥに必要なシステム情報が存在しない場合、システム情報取得失敗メッセージを前記ＵＥに送信することに用いられる。
【０２２３】
選択可能に、前記の前記オンデマンドのシステム情報のうち前記ＵＥに必要なシステム情報を前記ＵＥに送信することは、前記オンデマンドのシステム情報のうち前記ＵＥに必要なシステム情報およびｓｙｓｔｅｍＩｎｆｏＶａｌｕｅＴａｇを含む応答メッセージを前記ＵＥに送信することを含む。よって、前記ＵＥが、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ＵＥに必要なシステム情報が有効であると特定し、一致しないのであれば、前記ネットワーク側機器から送信される前記ＵＥに必要なシステム情報が無効であると特定する。
【０２２４】
選択可能に、プロセッサ２２００は、さらに、前記ＵＥに必要なシステム情報を前記ＵＥに送信する際に、ｓｙｓｔｅｍＩｎｆｏＶａｌｕｅＴａｇを含むシステム情報を放送することに用いられる。よって、前記ＵＥは、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ＵＥに必要なシステム情報が有効であると特定し、一致しないのであれば、前記ネットワーク側機器から送信される前記ＵＥに必要なシステム情報が無効であると特定する。
【０２２５】
選択可能に、前記要求メッセージは、ｂｉｔｍａｐまたはインデックスによって、前記ＵＥに必要なシステム情報を示す。
【０２２６】
選択可能に、前記の前記ＵＥから送信される要求メッセージを受信することは、前記ＵＥからランダムアクセス過程で送信される前記要求メッセージを受信することを含む。
前記の前記オンデマンドのシステム情報のうち前記ＵＥに必要なシステム情報を前記ＵＥに送信することは、前記ランダムアクセス過程で、前記オンデマンドのシステム情報のうち前記ＵＥに必要なシステム情報を前記ＵＥに送信することを含む。
【０２２７】
選択可能に、前記の前記ＵＥから送信される要求メッセージを受信することは、前記ＵＥに必要なシステム情報に対応するアップリンク信号を前記ＵＥから受信することを含む。
プロセッサ２２００は、さらに、前記アップリンク信号によって、前記ＵＥに必要なシステム情報を特定することに用いられる。
【０２２８】
選択可能に、プロセッサ２２００は、さらに、アップリンク信号とシステム情報とのマッピング関係情報を前記ＵＥに送信することに用いられる。
【０２２９】
選択可能に、前記の前記ＵＥから送信される要求メッセージを受信することは、前記ＵＥからＲＲＣメッセージまたはＭＡＣ  ＣＥによって送信される前記要求メッセージを受信することを含む。
【０２３０】
なお、本実施例における上記ネットワーク側機器は、本開示の実施例の方法実施例における任意の実施形態のネットワーク側機器であってもよい。本開示の実施例の方法実施例におけるネットワーク側機器の任意の実施形態は、いずれも本実施例における上記ネットワーク側機器によって実現され、同一の有益な効果を奏することができる。よって、ここでは繰り返して記載しない。
【０２３１】
図２３には、システム情報伝送システムの構造が示されている。システム情報伝送システムは、ネットワーク側機器２３０１とＵＥ２３０２を含む。
ネットワーク側機器２３０１は、前記ネットワーク側機器の一部システム情報であるシステム情報をＵＥ２３０２に送信することに用いられる。
前記ＵＥ２３０２は、前記ネットワーク側機器２３０１から送信される前記システム情報を受信することに用いられる。
前記ＵＥ２３０２は、さらに、前記ＵＥ２３０２に必要なシステム情報を要求することに用いられる要求メッセージを前記ネットワーク側機器２３０１に送信することに用いられる。
前記ネットワーク側機器２３０１は、さらに、前記ＵＥ２３０２から送信される前記要求メッセージを受信し、前記ネットワーク側機器２３０１の前記一部システム情報を除いた別部分のシステム情報であるオンデマンドのシステム情報のうち、前記ＵＥ２３０２に必要なシステム情報を前記ＵＥ２３０２に送信することに用いられる。
前記ＵＥ２３０２は、さらに、前記オンデマンドのシステム情報のうち前記ＵＥ２３０２に必要なシステム情報を前記ネットワーク側から受信することに用いられる。
【０２３２】
本実施例において、ネットワーク側機器２３０１とＵＥ２３０２は、図１〜図２２に示す実施例で紹介したネットワーク側機器とＵＥであってもよい。その実施形態は、図１〜図２２に示す実施形態を参照してもよく、同一の技術効果を奏することもできる。ここでは繰り返して記載しない。
【０２３３】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各配置部分の相互間の結合や直接結合や通信接続は、インタフェース、装置またはユニットを介した間接結合や通信接続であってもよく、電気的、機械的、または他の形式であってもよい。
【０２３４】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０２３５】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０２３６】
以上記載されたのは、本開示の選択可能な実施形態である。なお、当業者は、本開示に記載されている原理を逸脱せずに様々な改良や修飾をすることもできる。これらの改良や修飾も、本開示の保護範囲内として見なされるべきである。
【図１】
2019521622.tif 000003
【図２】
2019521622.tif 000004
【図３】
2019521622.tif 000005
【図４】
2019521622.tif 000006
【図５】
2019521622.tif 000007
【図６】
2019521622.tif 000008
【図７】
2019521622.tif 000009
【図８】
2019521622.tif 000010
【図９】
2019521622.tif 000011
【図１０】
2019521622.tif 000012
【図１１】
2019521622.tif 000013
【図１２】
2019521622.tif 000014
【図１３】
2019521622.tif 000015
【図１４】
2019521622.tif 000016
【図１５】
2019521622.tif 000017
【図１６】
2019521622.tif 000018
【図１７】
2019521622.tif 000019
【図１８】
2019521622.tif 000020
【図１９】
2019521622.tif 000021
【図２０】
2019521622.tif 000022
【図２１】
2019521622.tif 000023
【図２２】
2019521622.tif 000024
【図２３】
2019521622.tif 000025
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
ユーザ端末が、ネットワーク側機器から送信されるシステム情報であって、前記ネットワーク側機器の一部システム情報である前記システム情報を受信することと、
前記ユーザ端末から、前記ユーザ端末に必要なシステム情報を要求することに用いられる要求メッセージを前記ネットワーク側機器に送信することと、
前記ユーザ端末が、前記ネットワーク側機器の前記一部システム情報を除いた別部分のシステム情報であるオンデマンドのシステム情報のうち、前記ユーザ端末に必要なシステム情報をネットワーク側から受信することとを含むシステム情報伝送方法。
【請求項２】
前記ユーザ端末に必要なシステム情報は、前記ユーザ端末が取得する情報指示リストに指示される一部または全てのシステム情報であり、
前記情報指示リストは、前記オンデマンドのシステム情報の指示リストである請求項１に記載の方法。
【請求項３】
前記ユーザ端末が、ネットワーク側機器から送信されるシステム情報を受信することは、
前記ユーザ端末が、システム情報を含むシステムメッセージをネットワーク側機器から受信することを含み、
前記システムメッセージには、前記情報指示リストをさらに含み、
または、
前記ユーザ端末が、ネットワーク側機器から送信されるシステム情報を受信することは、
前記ユーザ端末が、システム情報を含むシステムメッセージをネットワーク側機器から受信することを含み、
前記システムメッセージには、前記オンデマンドのシステム情報が前記ネットワーク側機器に存在するかの指示情報をさらに含む請求項２に記載の方法。
【請求項４】
前記指示情報によって、前記オンデマンドのシステム情報が前記ネットワーク側機器に存在すると指示するのであれば、前記ユーザ端末が、前記情報指示リストの取得要求メッセージを前記ネットワーク側機器に送信することと、
前記ユーザ端末が、前記ネットワーク側機器から送信される前記情報指示リストを受信することをさらに含み、
または、
前記指示情報によって、前記オンデマンドのシステム情報が前記ネットワーク側機器に存在すると指示するのであれば、前記システムメッセージに含まれるシステム情報以外のシステム情報を、オンデマンドのシステム情報として特定することをさらに含み、
ここで、前記情報指示リストは、特定した前記オンデマンドのシステム情報の指示リストである請求項３に記載の方法。
【請求項５】
前記ユーザ端末が、ネットワーク側機器から送信されるシステム情報を受信することは、
ユーザ端末が、システム情報を含むシステムメッセージをネットワーク側機器から受信することを含み、
前記システムメッセージには、前記オンデマンドのシステム情報が前記ネットワーク側機器に存在するかの指示情報をさらに含み、
前記方法において、前記指示情報によって、前記オンデマンドのシステム情報が前記ネットワーク側機器に存在すると指示するのであれば、前記システムメッセージに含まれるシステム情報以外のシステム情報を、オンデマンドのシステム情報として特定することをさらに含み、
ここで、前記ユーザ端末に必要なシステム情報は、特定した前記オンデマンドのシステム情報の一部または全てのシステム情報である請求項１に記載の方法。
【請求項６】
前記ユーザ端末が、前記オンデマンドのシステム情報のうち前記ユーザ端末に必要なシステム情報を前記ネットワーク側から受信することは、
前記ユーザ端末が、前記オンデマンドのシステム情報のうち、前記ユーザ端末に必要なシステム情報の全てを含み、前記ネットワーク側から送信される応答メッセージを受信すること、または、
前記ユーザ端末が、前記オンデマンドのシステム情報のうち、前記ユーザ端末に必要なシステム情報の一部、および、別部分の必要なシステム情報の提供不可能を指示する指示情報を含み、前記ネットワーク側から送信される応答メッセージを受信すること、または、
前記ユーザ端末が、前記オンデマンドのシステム情報のうち、前記ユーザ端末に必要なシステム情報の全て、および、前記オンデマンドのシステム情報のうち、他のユーザ端末に必要なシステム情報の全てを含み、前記ネットワーク側からマルチキャストで送信される応答メッセージを受信すること、または、
前記ユーザ端末が、前記オンデマンドのシステム情報のうち前記ユーザ端末に必要なシステム情報、前記オンデマンドのシステム情報のうち他のユーザ端末に必要なシステム情報、および、前記要求メッセージおよび／または前記他のユーザ端末に要求される一部システム情報の提供不可能を指示する指示情報を含み、前記ネットワーク側からマルチキャストで送信される応答メッセージを受信すること、または、
前記ユーザ端末が、前記オンデマンドのシステム情報のうち前記ユーザ端末に必要なシステム情報の全て、および、他のユーザ端末に必要なシステム情報の提供不可能を指示する失敗指示情報を含み、前記ネットワーク側からマルチキャストで送信される応答メッセージを受信することを含む請求項１〜５のいずれか一項に記載の方法。
【請求項７】
前記ユーザ端末が、前記オンデマンドのシステム情報のうち前記ユーザ端末に必要なシステム情報を前記ネットワーク側から受信することは、
前記ネットワーク側機器の前記オンデマンドのシステム情報には、前記ユーザ端末に必要なシステム情報が存在する場合、前記ユーザ端末が、前記オンデマンドのシステム情報のうち前記ユーザ端末に必要なシステム情報を前記ネットワーク側から受信することを含み、
前記方法において、前記ネットワーク側機器の前記オンデマンドのシステム情報には、前記ユーザ端末に必要なシステム情報が存在しない場合、前記ユーザ端末が、前記ネットワーク側機器から送信されるシステム情報取得失敗メッセージを受信することをさらに含む請求項１〜５のいずれか一項に記載の方法。
【請求項８】
前記ユーザ端末が、前記オンデマンドのシステム情報のうち前記ユーザ端末に必要なシステム情報を前記ネットワーク側から受信することは、
前記ユーザ端末が、前記オンデマンドのシステム情報のうち前記ユーザ端末に必要なシステム情報およびシステム情報変更タグ（ｓｙｓｔｅｍＩｎｆｏＶａｌｕｅＴａｇ）を含み、前記ネットワーク側から送信される応答メッセージを受信することを含み、
前記方法において、前記ユーザ端末が、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ユーザ端末に必要なシステム情報が有効であると特定し、一致しないのであれば、前記ネットワーク側機器から送信される前記ユーザ端末に必要なシステム情報が無効であると特定することをさらに含む請求項１〜５のいずれか一項に記載の方法。
【請求項９】
前記ユーザ端末が、ｓｙｓｔｅｍＩｎｆｏＶａｌｕｅＴａｇを取得することをさらに含み、
ここで、前記ｓｙｓｔｅｍＩｎｆｏＶａｌｕｅＴａｇは、前記ユーザ端末が前記ネットワーク側機器から送信される前記ユーザ端末に必要なシステム情報を受信する際に、前記ネットワーク側機器から周期的に放送されるシステム情報のうちｓｙｓｔｅｍＩｎｆｏＶａｌｕｅＴａｇであり、
前記ユーザ端末が、前記ｓｙｓｔｅｍＩｎｆｏＶａｌｕｅＴａｇと前記要求メッセージの送信時のｓｙｓｔｅｍＩｎｆｏＶａｌｕｅＴａｇとは一致するかを判断し、一致するのであれば、前記ネットワーク側機器から送信される前記ユーザ端末に必要なシステム情報が有効であると特定し、一致しないのであれば、前記ネットワーク側機器から送信される前記ユーザ端末に必要なシステム情報が無効であると特定することをさらに含む請求項１〜５のいずれか一項に記載の方法。
【請求項１０】
前記要求メッセージは、ビットマップまたはインデックスによって、前記ユーザ端末に必要なシステム情報を示す請求項１〜５のいずれか一項に記載の方法。
【請求項１１】
前記ユーザ端末から、前記ネットワーク側機器に要求メッセージを送信することは、
前記ユーザ端末が、ランダムアクセス過程で前記ネットワーク側機器に前記要求メッセージを送信することを含み、
前記ユーザ端末が、前記ネットワーク側から送信される前記オンデマンドのシステム情報のうち前記ユーザ端末に必要なシステム情報を受信することは、
前記ユーザ端末が、前記ランダムアクセス過程で、前記ネットワーク側機器から送信される前記オンデマンドのシステム情報のうち前記ユーザ端末に必要なシステム情報を受信することを含み、
または、
前記ユーザ端末から、前記ネットワーク側機器に要求メッセージを送信することは、
前記ユーザ端末が、無線リソース制御メッセージまたは媒体アクセス制御制御エレメントによって、前記ネットワーク側機器に前記要求メッセージを送信することを含む請求項１〜５のいずれか一項に記載の方法。
【請求項１２】
前記ユーザ端末から、前記ネットワーク側機器に要求メッセージを送信することは、
前記ユーザ端末が、前記ユーザ端末に必要なシステム情報に対応するアップリンク信号を前記ネットワーク側機器に送信することを含み、
よって、前記ネットワーク側機器が、前記アップリンク信号によって、前記ユーザ端末に必要なシステム情報を特定し、
前記ユーザ端末が、前記ネットワーク側機器から送信されるアップリンク信号とシステム情報とのマッピング関係情報を受信することをさらに含む請求項１〜５のいずれか一項に記載の方法。
【請求項１３】
ネットワーク側機器が、前記ネットワーク側機器の一部システム情報であるシステム情報をユーザ端末に送信することと、
前記ネットワーク側機器が、前記ユーザ端末に必要なシステム情報を要求することに用いられる要求メッセージを前記ユーザ端末から受信することと、
前記ネットワーク側機器が、前記ネットワーク側機器の前記一部システム情報を除いた別部分のシステム情報であるオンデマンドのシステム情報のうち、前記ユーザ端末に必要なシステム情報を前記ユーザ端末に送信することとを含むシステム情報伝送方法。
【請求項１４】
ネットワーク側機器から送信されるシステム情報であって、前記ネットワーク側機器の一部システム情報である前記システム情報を受信することに用いられる第１受信モジュールと、
ユーザ端末に必要なシステム情報を要求することに用いられる要求メッセージを前記ネットワーク側機器に送信することに用いられる第１送信モジュールと、
前記ネットワーク側機器の前記一部システム情報を除いた別部分のシステム情報であるオンデマンドのシステム情報のうち、前記ユーザ端末に必要なシステム情報をネットワーク側から受信することに用いられる第２受信モジュールとを含むユーザ端末。
【請求項１５】
ネットワーク側機器の一部システム情報であるシステム情報をユーザ端末に送信することに用いられる第１送信モジュールと、
前記ユーザ端末に必要なシステム情報を要求することに用いられる要求メッセージを前記ユーザ端末から受信することに用いられる第１受信モジュールと、
前記ネットワーク側機器の前記一部システム情報を除いた別部分のシステム情報であるオンデマンドのシステム情報のうち、前記ユーザ端末に必要なシステム情報を前記ユーザ端末に送信することに用いられる第２送信モジュールとを含むネットワーク側機器。
【国際調査報告】
2019521622.tif 000026
2019521622.tif 000027
2019521622.tif 000028
2019521622.tif 000029